(57)【要約】【課題】ユーザの利便を向上する態様で番組情報を表示する番組情報表示装置及び番組情報表示方法を提供する。【解決手段】前記番組コンテンツのユーザによる閲覧履歴を表す閲覧履歴情報を記憶している録画番組閲覧履歴記憶部６２０９と、一つの番組コンテンツに関連して異なる複数の番組情報を記憶している番組情報記憶部６２０６と、前記複数の番組情報のなかから端末装置に表示されるべき表示対象部分を選択する番組情報選択部６２１０と、前記選択された表示対象部分を出力する番組情報表示部６２１１とを備え、番組情報選択部６２１０は、同一の番組コンテンツに関連して番組情報記憶部６２０６に記憶されている前記複数の番組情報のなかから、当該番組コンテンツの前記閲覧履歴情報に応じた一つを、前記表示対象部分として選択する。【選択図】図２２
2010233269.tif 000002
【特許請求の範囲】
【請求項１】
録画されユーザの閲覧に供されている番組コンテンツに関連して蓄積されユーザの参照に供される番組情報を所定の端末装置に出力する番組情報表示装置であって、
前記番組コンテンツのユーザによる閲覧履歴を表す閲覧履歴情報を記憶している録画番組閲覧履歴記憶手段と、
一つの番組コンテンツに関連して異なる複数の番組情報を記憶している番組情報記憶手段と、
前記番組コンテンツに関連する番組情報を新たに取得する番組情報取得手段と、
同一の番組コンテンツに関連して、前記番組情報記憶手段に既に記憶されている番組情報と、前記番組情報取得手段によって新たに取得された番組情報との差分を検出し、差分があれば前記新たに取得された番組情報を前記番組情報記憶手段に追加する番組差分検出手段と、
前記複数の番組情報の中から、前記端末装置に表示されるべき表示対象部分を選択する番組情報選択手段と、
前記複数の番組情報の前記選択された表示対象部分を前記端末装置に出力する番組情報表示手段と
を備え、
前記番組情報選択手段は、同一の番組コンテンツに関連して前記番組情報記憶手段に記憶されている前記複数の番組情報のなかから、当該番組コンテンツの前記閲覧履歴情報に応じた一つを、前記表示対象部分として選択する
ことを特徴とする番組情報表示装置。
【請求項２】
前記番組情報記憶手段は、前記番組コンテンツに関連して、前記番組コンテンツの放送前に取得された番組情報と放送後に取得された番組情報とを記憶しており、
前記番組情報選択手段は、前記番組コンテンツが閲覧されたか否かを、前記閲覧履歴情報を参照して判断し、まだ閲覧されていないと判断した場合、前記放送後に取得された番組情報を除外して前記表示対象部分を選択する
ことを特徴とする請求項１に記載の番組情報表示装置。
【請求項３】
前記番組情報選択手段は、前記番組コンテンツが閲覧された回数、最後に閲覧された時点から経過した時間、又はその両方を、前記閲覧履歴を参照して判断し、前記回数が多いほど、又は前記時間が短いほど情報量が少ない番組情報を、前記表示対象部分として選択する
ことを特徴とする請求項１に記載の番組情報表示装置。
【請求項４】
録画されユーザの閲覧に供されている番組コンテンツに関連して蓄積されユーザの参照に供される番組情報を所定の端末装置に表示する表示方法であって、
前記表示方法は、一つの番組コンテンツに関連して異なる複数の番組情報を記憶している番組情報記憶手段を参照して行われ、
前記番組コンテンツに関連する番組情報を新たに取得する番組情報取得ステップと、
同一の番組コンテンツに関連して、前記番組情報記憶手段に既に記憶されている番組情報と、前記番組情報取得ステップで新たに取得された番組情報との差分を検出し、差分があれば前記新たに取得された番組情報を前記番組情報記憶手段に追加する番組差分検出ステップと、
前記複数の番組情報の中から、前記端末装置に表示されるべき表示対象部分を選択する番組情報選択ステップと、
前記複数の番組情報の前記選択された表示対象部分を前記端末装置に出力する番組情報表示ステップと
を備え、
前記番組情報選択手段は、同一の番組コンテンツに関連して前記番組情報記憶手段に記憶されている前記複数の番組情報のなかから、当該番組コンテンツの閲覧履歴に応じた一つを、前記表示対象部分として選択する
ことを特徴とする番組情報表示方法。
【請求項５】
録画されユーザの閲覧に供されている番組コンテンツに関連して蓄積されユーザの参照に供される番組情報を所定の端末装置に表示する番組情報表示装置を実現するためのコンピュータ実行可能なプログラムであって、
請求項４に記載の番組情報表示方法に含まれるステップをコンピュータに実行させることを特徴とするプログラム。
【発明の詳細な説明】
【技術分野】
【０００１】
本発明は、テレビ番組等に代表されるコンテンツに関連してユーザの参照に供される番組情報の蓄積と表示とを行う端末およびシステムに関するものである。
【背景技術】
【０００２】
近年、デジタル放送の普及に伴い、多種多様な放送番組が放映されるようになってきている。また、電子番組ガイド（以下、ＥＰＧと省略する）の普及により、テレビ画面上で将来放送される番組の予定を確認することができるようになってきている。さらに、ハードディスクやＤＶＤの普及に伴い、簡単に番組を録画することが可能になりつつある。
【０００３】
そこで、ハードディスク等への予約録画の内容や、番組の閲覧履歴をもとに、ユーザのテレビ番組に関する嗜好を抽出し、将来、放送される番組において、そのユーザの嗜好にあった番組を推薦するシステムが提案されている（例えば、特許文献１参照。）。また、録画された番組が閲覧されたか否かの情報を利用して、ユーザが所望する番組を選択する装置が提案されている（例えば、特許文献２参照。）。
【０００４】
また、従来、視聴率を調査する際に録画された番組に対しても閲覧操作履歴を蓄積し、その情報をサーバで集計することにより、より正確な視聴率を検出するシステムも開示されている（例えば、特許文献３参照。）。これにより、広告情報の番組に挿入するタイミングをユーザの視聴操作毎に判断するものである。
【０００５】
また、従来、番組の属性に応じて録画する番組の解像度を決定したり、ユーザの嗜好に応じて番組記録時の解像度（ビットレート）を決定したりすることができる放送端末装置も開示されている（例えば、特許文献４参照。）。
【先行技術文献】
【特許文献】
【０００６】
【特許文献１】特開平１１−１６４２１７号公報
【特許文献２】特開２０００−２５３３２５号公報
【特許文献３】特開２００２−３０５７６０号公報
【特許文献４】特開２００１−８６４２０号公報
【発明の概要】
【発明が解決しようとする課題】
【０００７】
しかしながら、従来の技術は、例えばユーザが予約録画し又は閲覧した番組のＥＰＧからキーワードを抽出するなどして、ＥＰＧをユーザの嗜好を知る手がかりとして有効に利用しているものの、ＥＰＧそのものをユーザに如何に効果的に提示するかについては言及していない。
【０００８】
具体的に、現在のデジタル放送システムでは一つの番組に関連して放送日が近づくにつれて詳細度が増していく複数種類のＥＰＧが配信されるが、番組の放送日直前に得られるような詳細なＥＰＧ情報を携帯電話機等のモバイル端末に表示すると、表示内容が１画面に収まらずかえって参照しづらいといった不便が起こり得る。画一的な表示方法が、製品の良好な使用感を損なう要因となるのである。
【０００９】
本発明は上記の事情に鑑みてなされたものであり、ＥＰＧ（以下、より一般的に番組情報と言う）をユーザに効果的に提示することができる番組情報表示装置、及びその方法を提供することを目的とする。
【課題を解決するための手段】
【００１０】
上記目的を達成するため、本発明に係る番組情報表示装置は、番組コンテンツ（以下、文脈に応じて放送番組又は単に番組とも言う）に関連して蓄積されユーザの参照に供される番組情報を出力する番組情報表示装置であって、前記番組コンテンツのユーザによる閲覧履歴を表す閲覧履歴情報を記憶している録画番組閲覧履歴記憶手段と、一つの番組コンテンツに関連して異なる複数の番組情報を記憶している番組情報記憶手段と、前記複数の番組情報のなかから表示対象部分を選択する番組情報選択手段と、前記複数の番組情報の前記選択された表示対象部分を出力する番組情報出力手段とを備え、前記番組情報選択手段は、同一の番組コンテンツに関連して前記番組情報記憶手段に記憶されている前記複数の番組情報のなかから、当該番組コンテンツの前記閲覧履歴情報に応じた一つを、前記表示対象部分として選択する。
【００１１】
また、前記番組情報表示装置は、さらに、前記番組コンテンツに関連する番組情報を新たに取得する番組情報取得手段と、同一の番組コンテンツに関連して、前記番組情報記憶手段に記憶されている番組情報と、前記番組情報取得手段によって新たに取得された番組情報との差分を検出し、差分があれば前記新たに取得された番組情報を前記番組情報記憶手段に追加するコンテンツ差分検出手段とを備えてもよい。
【００１２】
なお、本発明は、このようなコンテンツ表示装置として実現することができるだけでなく、このようなコンテンツ表示装置の機能を有する番組蓄積装置として実現することもできる。また、このようなコンテンツ表示装置が備える特徴的な手段をステップとするコンテンツ表示方法として実現したり、それらのステップをコンピュータに実行させるプログラムとして実現したりすることもできる。そして、そのようなプログラムは、ＣＤ−ＲＯＭ等の記録媒体やインターネット等の伝送媒体を介して配信することができるのは言うまでもない
【発明の効果】
【００１３】
本発明に係るコンテンツ表示装置によれば、一つの番組コンテンツ（放送番組）に関連して蓄積されている複数の番組情報の中から、前記番組コンテンツの閲覧履歴に応じて、ユーザの利便が予想される表示対象部分を選択して出力できるので、従来の画一的な表示方法によって起こり得る使用感の悪化を回避できる。
【００１４】
一つの放送番組について複数種類の番組情報が得られ、また番組情報の表示環境が家庭の大画面デジタルテレビから携帯電話機等のモバイル端末まで多岐に渡る今日において、本発明の実用的価値は極めて高い。
【図面の簡単な説明】
【００１５】
【図１】本発明の実施の形態１に係る番組蓄積装置の構成を示すブロック図である。
【図２】番組情報記憶部に番組情報を蓄積する際の動作の流れを示すフローチャートである。
【図３】番組が放映される４週間前に配信される番組情報の一例を示す図である。
【図４】番組が放映される１週間前に配信される番組情報の一例を示す図である。
【図５】番組が放映される１日前に配信される番組情報の一例を示す図である。
【図６】番組蓄積装置において番組を録画する際の動作の流れを示すフローチャートである。
【図７】番組蓄積装置において録画された番組の情報を表示する際の動作の流れを示すフローチャートである。
【図８】番組情報の表示について説明するための図であり、（ａ）最も詳細な番組情報を表示した場合、（ｂ）番組情報の詳細度を下げた場合を示している。
【図９】番組に関連する情報をインターネット等のＵＲＬより取得し、詳細な情報を対応つけて蓄積する例を示す説明図である。
【図１０】本発明の実施の形態２に係る番組情報表示装置の構成を示すブロック図である。
【図１１】本発明の実施の形態２に係る番組選択装置が用いられるハードウエア構成の一例を示す構成図である。
【図１２】番組記憶部に記憶されている情報の内容の一例を示す図である。
【図１３】番組情報記憶部に記憶されている情報の内容の一例を示す図である。
【図１４】配信された番組情報の具体例を示す図である。
【図１５】番組情報表示装置においてユーザが携帯端末に対して番組情報の要求を入力した後からの動作の流れを示すフローチャートである。
【図１６】（ａ）携帯電話等の小型の表示装置に表示される番組情報、（ｂ）家庭内の小型ディスプレイに表示される番組情報の、それぞれ一例を示す図である。
【図１７】本発明の実施の形態３に係る番組情報表示装置の構成を示すブロック図である。
【図１８】異なった時期に配信された番組情報の一例を示す図である。
【図１９】（ａ）同じタイトルの番組情報の場合、（ｂ）異なるタイトルの番組情報の場合に、それぞれ表示される番組情報の一例を示す図である。
【図２０】番組情報表示装置において、番組内容の違いが識別できるレベルの詳細度で番組情報を提示する動作の流れを示すフローチャートである。
【図２１】表示される番組情報の他の一例を示す図である。
【図２２】本発明の実施の形態４に係る番組情報表示装置の構成を示すブロック図である。
【図２３】録画番組閲覧履歴記憶部に蓄積されている番組の閲覧履歴の一例を示す図である。
【図２４】番組情報記憶部に記憶されている２種類の番組情報の例を示す図である。
【図２５】（ａ）番組を閲覧した後、（ｂ）番組を閲覧する前に、それぞれ表示される番組情報の一例を示す図である。
【図２６】番組情報表示装置において、番組閲覧の前か後かに応じて番組情報を提示する動作の流れを示すフローチャートである。
【図２７】本発明の実施の形態５に係る番組情報表示装置の構成を示すブロック図である。
【図２８】２つの番組情報配信元それぞれから取得される番組情報の一例を示す図である。
【図２９】番組情報表示装置において、２つの番組情報配信元それぞれから取得される番組情報を融合して提示する動作の流れを示すフローチャートである。
【図３０】本発明の実施の形態６に係る番組選択装置の構成を示すブロック図である。
【図３１】本発明の実施の形態６に係る番組選択装置が用いられるハードウエア構成の一例を示す構成図である。
【図３２】番組選択装置においてユーザの嗜好を抽出する際の動作の流れを示すフローチャートである。
【図３３】番組記憶部へ蓄積されている番組の一例を示す図である。
【図３４】番組情報の一例を示す図である。
【図３５】録画番組が閲覧された際の閲覧操作の例を示す図であり、（ａ）閲覧操作を模式的に示した図、（ｂ）各番組に対応させて操作履歴記憶部へ蓄積される履歴の例を示す図である。
【図３６】録画番組が閲覧された際の閲覧操作の例を示す図であり、（ａ）閲覧操作を模式的に示した図、（ｂ）各番組に対応させて操作履歴記憶部へ蓄積される履歴の例を示す図である。
【図３７】録画番組が閲覧された際の閲覧操作の例を示す図であり、（ａ）閲覧操作を模式的に示した図、（ｂ）各番組に対応させて操作履歴記憶部へ蓄積される履歴の例を示す図である。
【図３８】録画番組が閲覧された際の閲覧操作の例を示す図であり、（ａ）閲覧操作を模式的に示した図、（ｂ）各番組に対応させて操作履歴記憶部へ蓄積される履歴の例を示す図である。
【図３９】録画番組が閲覧された際の閲覧操作の例を示す図であり、（ａ）閲覧操作を模式的に示した図、（ｂ）各番組に対応させて操作履歴記憶部へ蓄積される履歴の例を示す図である。
【図４０】閲覧された各番組に対する通常再生率の一例を示す図である。
【図４１】キーワードと重要度との対応表の一例を示す図である。
【図４２】番組選択装置において番組推薦の要求があった際の動作の流れを示すフローチャートである。
【図４３】推薦番組をテレビ画面に表示する表示例を示す図である。
【図４４】推薦番組を携帯電話に表示する表示例を示す図である。
【図４５】閲覧操作の回数と閲覧集中度との対応の一例を示す図である。
【図４６】番組を録画してから閲覧されるまでの時間と閲覧集中度との対応の一例を示す図である。
【図４７】番組を録画してからその番組を消去するまでの時間と閲覧集中度との対応の一例を示す図である。
【図４８】関連番組をチェックするか否かの選択画面の表示例を示す図である。
【図４９】本発明の実施の形態７に係る番組選択装置の構成を示すブロック図である。
【図５０】本発明の実施の形態７に係る番組選択装置が用いられるハードウエア構成の一例を示す構成図である。
【図５１】携帯型メディアに蓄積されているデータを示す図である。
【図５２】番組選択装置において閲覧集中度を算出する際の動作の流れを示すフローチャートである。
【図５３】閲覧端末と閲覧集中度との対応表の一例を示す図である。
【図５４】各番組に対して算出された平均閲覧集中度の一例を示す図である。
【図５５】番組選択装置において番組録画予約があった際の動作の流れを示すフローチャートである。
【図５６】各番組のジャンル情報に対して算出された閲覧集中度の一例を示す図である。
【図５７】推薦番組をテレビ画面に表示する表示例を示す図である。
【図５８】推薦番組を携帯電話に表示する表示例を示す図である。
【図５９】以前に番組が録画された際の解像度（録画レート）と閲覧集中度との対応表の一例を示す図である。
【図６０】本発明の実施の形態８に係る番組蓄積装置の構成を示すブロック図である。
【図６１】番組蓄積装置において番組の録画予約が行われた際の動作の流れを示すフローチャートである。
【図６２】録画予約された番組の一例を示す図である。
【図６３】（ａ）チャンネルごとに計算された総視聴時間の一例を示す図であり、（ｂ）録画予約の変更を促す表示例を示す図である。
【図６４】（ａ）１時間単位に計算された視聴回数の一例を示す図であり、（ｂ）録画予約の変更を促す表示例を示す図である。
【発明を実施するための形態】
【００１６】
本発明に係るコンテンツ表示装置は、番組コンテンツに関連して蓄積されユーザの参照に供される番組情報を出力する番組情報表示装置であって、一つの番組コンテンツに関連して異なる複数の番組情報を記憶している番組情報記憶手段と、前記複数の番組情報のなかから、前記番組コンテンツの閲覧履歴に応じて表示対象部分を選択する番組情報選択手段と、前記複数の番組情報の前記選択された表示対象部分を出力する番組情報出力手段とを備える。
【００１７】
この構成によれば、一つの番組コンテンツに関連して蓄積されている複数の番組情報のなかから、前記番組コンテンツの閲覧履歴に応じて、ユーザの利便が予想される表示対象部分を選択して出力できるので、従来の画一的な表示方法によって起こり得る使用感の悪化を回避できる。
【００１８】
また、前記番組情報表示装置は、さらに、前記番組コンテンツに関連する番組情報を新たに取得する番組情報取得手段と、前記番組情報記憶手段に記憶されている番組情報と、前記番組情報取得手段によって新たに取得された番組情報との差分を検出し、差分があれば前記新たに取得された番組情報を前記番組情報記憶手段に追加するコンテンツ差分検出手段とを備えてもよい。
【００１９】
この構成によれば、例えば現在のデジタル放送システムのように、一つの番組コンテンツ（放送番組）に関連して放送日が近づくにつれて詳細度が増していく複数種類の番組情報（ＥＰＧ）が配信される場合に、詳細度が増したＥＰＧを取りこぼしなく蓄積できる。
【００２０】
また、前記番組情報表示装置は、さらに、番組情報を表示する端末装置に一度に表示できる情報量を受け付ける表示情報量受付手段を備え、前記番組情報選択手段は、前記複数の番組情報の中から前記情報量に応じた一つを、前記表示対象部分として選択してもよい。
【００２１】
また、前記番組情報表示装置は、さらに、番組情報を表示する端末装置の表示解像度、表示可能色数、及び再生可能な動画又は音声に関するフォーマットの少なくとも一つを表す表示性能情報を記憶している表示端末性能記憶手段を備え、前記番組情報選択手段は、前記複数の番組情報のなかから前記表示性能情報に応じた一つを、前記表示対象部分として選択してもよい。
【００２２】
これらの構成によれば、例えば一般的に表示性能が低い携帯電話機等のモバイル端末で番組情報を表示する場合に、一度に表示しきれないほどの情報量がある番組情報（放送日直前の詳細なＥＰＧ）や、表示できない動画情報を含んだ番組情報（高規格なセットトップボックス等での再生を想定したフォーマット）を避けて、ユーザが閲覧する上での利便が最も高いと予想される番組情報を選択して出力できる。
【００２３】
また、前記番組情報記憶手段は、複数の番組コンテンツそれぞれに関連して複数の番組情報を記憶しており、前記番組情報選択手段は、各番組コンテンツについて番組情報の表示対象部分を選択する場合に、各番組コンテンツに関連する番組情報であって、かつ互いに異なる部分を持つ番組情報を、前記表示対象部分として選択してもよい。
【００２４】
この構成によれば、例えば、シリーズを構成する各回の番組それぞれに番組情報を出力する場合に、詳細度が低いために各回とも全く同一の内容（例えば、同一のシリーズタイトルと同一の主演者名のみ）となってしまうような番組情報を避けて、回ごとに異なるサブタイトルやあらすじを含む程度に詳細な番組情報を選択することによって、識別性のある（区別可能な）番組情報をユーザに提示できる。
【００２５】
また、前記番組コンテンツは、外部のコンテンツ録画装置に録画されユーザの閲覧に供されており、前記番組情報表示装置は、さらに、前記番組コンテンツのユーザによる閲覧履歴を表す閲覧履歴情報を記憶している録画番組閲覧履歴記憶手段を備え、前記番組情報選択手段は、前記複数の番組情報のなかから前記閲覧履歴情報に応じた一つを、前記表示対象部分として選択してもよい。
【００２６】
また、好ましくは、前記番組情報記憶手段は、前記番組コンテンツに関連して、前記番組コンテンツの放送前に取得された番組情報と放送後に取得された番組情報とを記憶しており、前記番組情報選択手段は、前記番組コンテンツが閲覧されたか否かを、前記閲覧履歴情報を参照して判断し、まだ閲覧されていないと判断した場合、前記放送後に取得された番組情報を除外して前記表示対象部分を選択してもよい。
【００２７】
この構成によれば、録画はされたもののまだ閲覧されていない番組を、前記閲覧履歴を参照することによって知り、そのような番組については番組放送後に得られた番組情報（スポーツ中継番組などで試合結果までもが示されていることがある）を避けて、番組放送前に得られた番組情報の一つを提示することによって、番組の閲覧の楽しみを妨げることがなくなる。
【００２８】
また、前記番組情報選択手段は、前記番組コンテンツが閲覧された回数、最後に閲覧された時点から経過した時間、又はその両方を、前記閲覧履歴を参照して判断し、前記回数が多いほど、又は前記時間が短いほど情報量が少ない番組情報を、前記表示対象部分として選択してもよい。
【００２９】
この構成によれば、閲覧回数の多い番組や、最近閲覧した番組に関してはユーザの記憶に残っている可能性が高いため、比較的簡略な番組情報を表示し、ユーザの記憶に残っている可能性の低い番組については、詳細な番組情報を提示することが可能になる。
【００３０】
また、前記番組情報記憶手段は、前記番組コンテンツに関連して、異なる配信元から取得された複数の番組情報を記憶しており、前記番組情報表示装置は、さらに、前記異なる配信元から取得された番組情報を用いて新たな番組情報を生成する番組情報融合手段を備え、前記番組情報選択手段は、前記生成された新たな番組情報を前記表示対象部分として選択してもよい。
【００３１】
この構成によれば、異なる配信元から取得された複数の番組情報に含まれる内容を取りこぼしなくユーザに提示することができる。
【００３２】
また、好ましくは、前記番組情報融合手段は、各配信元から更新された番組情報が得られる頻度、又は得られる番組情報の量に応じて、その配信元から取得される番組情報について使用部分を決定し、前記決定された使用部分を用いて前記新たな番組情報を生成してもよい。
【００３３】
この構成によれば、例えば、番組の放送時間の変更に応じて迅速かつ頻繁に更新された番組情報を配信する配信元の番組情報からは放送時間に関する情報を利用し、また、番組内容を潤沢に配信する配信元の番組情報からは番組内容情報を利用することによって、各配信元の特長を兼ね備えた番組情報をユーザに提示することができる。
【００３４】
以下、本発明の各実施の形態について、それぞれ図面を参照しながら説明する。
【００３５】
（実施の形態１）
近年、放送やネットワークを介して放送される前に、番組情報を配信するサービスが実用化されてきている。それに伴い、録画された番組に対して、番組情報として取得した内容を録画した番組とともに蓄積する技術も開示されている。
【００３６】
しかしながら、ユーザが録画されている番組を確認するために、録画されている多くの番組を一覧したい時には、番組情報として取得した内容をすべて表示すると、一覧性の低い表示となってしまう。この場合、録画されている番組の簡単な内容だけを表示することで一覧性の高い表示が可能となる。逆に、ユーザによって入力されたキーワードで録画されている番組を検索するときには、番組のタイトルだけでなく、番組の出演者や、番組の内容まで含めたテキスト情報が蓄積されていないと、詳細な検索を実現することができない。
【００３７】
一方、番組情報の配信サービスにおいて、番組の内容は、放送される日に近づくにつれて、詳細な番組内容が配信されるようになっている。例えば、１ヶ月前に配信される番組情報はタイトルだけであったが、放送される１週間前には、出演者などの情報が含まれることが多い。さらに、前日になれば、ニュースであれば特集の内容や、ドラマであれば前回までのあらすじの内容までも番組情報として配信されることがある。
【００３８】
そこで、本発明では、これらの配信される番組情報を蓄積しておき、ユーザからの提示要求に応じて、詳細な内容を表示したり、タイトルだけの概要を表示したりすることができるように、番組情報を蓄積する装置を提供するものである。
【００３９】
図１は、本発明の実施の形態１に係る番組蓄積装置の構成を示すブロック図である。
【００４０】
番組蓄積装置３７００は、番組とともに番組情報を蓄積し、ユーザからの提示要求に応じて表示内容の詳細度を変更して番組情報を表示する装置であり、図１に示すように番組情報取得部３７０１、番組情報記憶部３７０２、番組情報差分検出部３７０３、放送受信部３７０４、番組録画部３７０５、番組情報選択部３７０６、番組情報表示部３７０７、番組記憶部３７０８、指示受付部３７０９、および表示情報量受付部３７１０を備えている。
【００４１】
番組情報取得部３７０１は、番組情報（ＥＰＧ）を取得する。番組情報記憶部３７０２は、番組情報取得部３７０１により取得された番組情報を番組放送時まで記憶する例えばハードディスク等の記憶部である。番組情報差分検出部３７０３は、番組情報記憶部３７０２に記憶されている番組情報と、番組情報取得部３７０１により新たに取得された番組情報との差分を検出し、差分がある場合に新たに取得された番組情報を番組情報記憶部３７０２へ格納する。なお、番組情報差分検出部３７０３は、番組情報記憶部３７０２に記憶されている番組情報がない場合には、番組情報取得部３７０１により新たに取得された番組情報を番組情報記憶部３７０２へ格納する。
【００４２】
放送受信部３７０４は、放送されている番組（コンテンツ）を受信する。番組録画部３７０５は、放送受信部３７０４で受信された番組を番組記憶部３７０８へ録画する。また、番組録画部３７０５は、番組を録画する際に、番組情報記憶部３７０２に記憶されているこの番組に関する番組情報を対応付けて番組記憶部３７０８へ記録する。番組記憶部３７０８は、番組録画部３７０５により録画される番組およびこの番組に関する番組情報を記憶する例えばハードディスク等の記憶部である。
【００４３】
指示受付部３７０９は、番組情報の表示指示をユーザから受け付ける。表示情報量受付部３７１０は、番組情報を表示する表示装置で表示可能な情報量を受け付ける。番組情報選択部３７０６は、指示受付部３７０９により受け付けられた表示指示および表示情報量受付部３７１０により受け付けられた情報量に基づいて、番組記憶部３７０８に記録されている番組情報を選択する。番組情報表示部３７０７は、番組情報選択部３７０６で選択された番組情報を外部の表示装置へ出力することによって表示する。
【００４４】
本実施の形態に係る番組蓄積装置が用いられるハードウエアの構成は、番組蓄積用の通常のハードディスクレコーダと同様の構成となるため、説明を省略する。
【００４５】
次に、上記のように構成された番組蓄積装置の番組情報記憶部３７０２に番組情報を蓄積する際の動作について説明する。図２は番組情報記憶部３７０２に番組情報を蓄積する際の動作の流れを示すフローチャートである。
【００４６】
まず、番組情報取得部３７０１は、番組情報（ＥＰＧ）を取得し、保持する（ステップＳ５０１）。なお、番組情報は多重放送から抽出してもよいし、ネットワークを介して取得してもよい。
【００４７】
図３から図５は配信される番組情報の一例を示す図である。図３、図４、図５はそれぞれ番組が放映される４週間前、１週間前、１日前に配信される番組情報を示している。図３から図５は、１０月２２日の１０チャンネルで放映される同じ番組の番組情報であるが、放映される日に近づくにつれて詳細な情報が決定され、番組情報も詳しくなる傾向にある。例えば、ニュース等の番組の場合は、前日にならないと詳細な放映内容が決まらない。また、毎週放映されるドラマ等の番組情報の場合は、次回のドラマの内容に関する情報を配信する前には、次々回のドラマの内容に関する情報は配信されず、出演者等に関する番組情報しか配信されない。
【００４８】
次に、番組情報差分検出部３７０３は、取得した番組情報の各番組について、番組情報記憶部３７０２に記憶されている番組情報があるか否かを検索する（ステップＳ５０２）。具体的には、番組が放映されるチャンネルと日時とを用いて検索することで、すでに番組情報記憶部３７０２に記憶されている番組情報があるか否かを検索する。なお、番組の内容を示すテキスト情報は、配信されるタイミングによって異なる場合があるため、番組のチャンネルと日時とを用いて番組の対応を検索する。
【００４９】
この検索の結果、すでに番組情報がある場合（ステップＳ５０２でＹＥＳ）には、番組情報差分検出部３７０３は、番組情報取得部３７０１により取得された番組情報と、番組情報記憶部３７０２に記憶されている番組情報との差分を検出し、番組情報が同じであるか否かを判定する（ステップＳ５０３）。この結果、番組情報が同じである場合（ステップＳ５０３でＹＥＳ）には、番組情報取得部３７０１は保持している番組情報を消去する（ステップＳ５０４）。
【００５０】
一方、番組情報が同じでない場合（ステップＳ５０３でＮＯ）には、番組情報差分検出部３７０３は、番組情報取得部３７０１により取得された番組情報を番組情報記憶部３７０２へ格納する（ステップＳ５０５）。すなわち、同一番組の番組情報であっても、テキスト内容等が異なるものについては番組情報として蓄積する。図３から図５の例においては、同じ「ニュースの泉」に関する情報について内容の詳細度が異なるため、「ニュースの泉」の番組情報として蓄積する。放映される前の番組情報は、放映が終了するまで、番組情報記憶部３７０２に蓄積しておく。
【００５１】
次に、上記のように番組情報記憶部３７０２に番組情報が蓄積された状態で、番組を録画する際の動作について説明する。図６は番組蓄積装置において番組を録画する際の動作の流れを示すフローチャートである。
【００５２】
番組が放映された際に、番組録画部３７０５は、番組を録画するか否かの判定を行う（ステップＳ６０１）。ここで、番組を録画する場合（ステップＳ６０１でＹＥＳ）には、番組録画部３７０５は、この番組を録画するとともに、番組情報記憶部３７０２に記憶されているこの番組に関する番組情報を対応付けて番組記憶部３７０８へ記録する（ステップＳ６０２）。すなわち、番組のタイトルや録画時刻、チャンネルに関する情報だけでなく、番組に関するテキスト情報も蓄積する。例えば「ニュースの泉」を録画した場合には、その内容に関する情報として、図３から図５のすべての情報を番組情報として番組記憶部３７０８へ記録する。そして、番組録画部３７０５は、番組情報記憶部３７０２に記憶されているこの番組に関する番組情報を消去する（ステップＳ６０３）。
【００５３】
一方、番組を録画しない場合（ステップＳ６０１でＮＯ）には、番組録画部３７０５は、番組情報記憶部３７０２に記憶されているこの番組に関する番組情報を消去する（ステップＳ６０３）。すなわち、放映されたが録画されなかった番組についての番組情報は消去されることになる。
【００５４】
次に、上記のように番組を録画された状態で、録画された番組の情報を表示する際の動作について説明する。図７は番組蓄積装置において録画された番組の情報を表示する際の動作の流れを示すフローチャートである。
【００５５】
指示受付部３７０９は、１つまたは複数の番組の番組情報の表示要求を受け付ける（ステップＳ７０１）。例えば、図８に示すように、「ニュースの泉」と「青い巨塔」の２つの番組が録画されており、これらの２つの番組の番組情報を一つの画面に表示するよう要求を受け付けたとする。表示要求がない場合には、表示要求があるまで次へはすすまない。
【００５６】
次に、表示情報量受付部３７１０は、番組情報を表示する表示装置で表示可能な情報量を受け付ける（ステップＳ７０２）。例えば、図８に示す例では、「ニュースの泉」と「青い巨塔」の２つの番組を１４行以内で表示するような要求を受け付ける。なお、ここでは番組情報量として行数で示したが、文字数等の番組情報量で要求を受け付けてもよい。
【００５７】
次に、番組情報選択部３７０６は、最も詳細な番組情報を表示した場合、番組情報が表示可能であるか否かを判断する（ステップＳ７０３）。例えば、「ニュースの泉」の最も詳細な番組情報量は９行である。一方、「青い巨塔」の最も詳細な番組情報量が７行である。そのため、２つの番組の最も詳細な番組情報量は９＋７＝１６行となる。現在の表示できる番組情報量が１４行であるため、２つの番組の番組情報を同時に表示することが不可能である。
【００５８】
ここで、表示可能でない場合（ステップＳ７０３でＮＯ）には、番組情報選択部３７０６は、表示する番組の中で番組情報量が最大の番組を選択し、番組情報の詳細度を下げることにより番組情報量を削減する（ステップＳ７０５）。ここでは、「ニュースの泉」の番組情報量が「青い巨塔」の番組情報量より多いため、図８（ｂ）に示すように「ニュースの泉」の番組情報の詳細度を下げる。ここでは、図４に示す「ニュースの泉」の１週間前の番組情報を利用することで、結果的に、「ニュースの泉」の番組情報量は７行となる。
【００５９】
なお、ここで、番組情報は図５に示すように、出演者や番組内容のタグで構造化されて蓄積されているため、詳細な番組情報が表示できない場合には、タイトルと出演者を表示するようにしてもよい。さらには、タイトルだけを太字で表示、色を変更するなどの装飾を施してもよい。
【００６０】
再び、番組情報選択部３７０６は、番組情報の詳細度を下げた状態で、番組情報が表示可能であるか否かを判断する（ステップＳ７０３）。ここでは、「ニュースの泉」の番組情報量が７行、「青い巨塔」の番組情報量が７行、２つの番組の番組情報量が７＋７＝１４行となる。現在の表示できる番組情報量が１４行であるため、２つの番組の番組情報を同時に表示することが可能になる。
【００６１】
一方、番組情報が表示可能であるか否かの判断（ステップＳ７０３）の結果、表示可能である場合（ステップＳ７０３でＹＥＳ）には、番組情報表示部３７０７は、番組情報選択部３７０６により選択された番組情報を表示する（ステップＳ７０４）。その結果、図８（ｂ）に示すように２つの番組の番組情報が表示されることになる。
【００６２】
以上のように、番組情報取得部３７０１により取得された番組情報と、番組情報記憶部３７０２に記憶されている番組情報との差分を検出し、差分がある場合には取得された番組情報を新たに記憶しているので、ユーザによって録画された番組や、システムにより録画された番組の詳細度の異なる番組情報を蓄積しておくことが可能になる。
【００６３】
これにより、番組を閲覧しなくても、どのような番組内容であるかをテキスト情報で確認することが可能になる。さらに、詳細度の異なる番組情報が蓄積されるため、ユーザの興味の度合いや、番組情報を表示する端末や表示領域に応じて番組情報を選択的に表示することが可能になる。例えば、携帯電話等の表示領域が小さい端末で録画された番組情報を表示する場合には、簡単な内容の番組情報を表示することが可能になる。一方、パソコン等の高解像度の表示端末で録画された番組の番組情報を表示する場合には、図５に示すような詳細な番組情報を表示することが可能になる。
【００６４】
なお、本実施の形態では、番組情報を放送波に多重化されて送信された情報を利用して番組情報を取得し録画された番組に対応付けて蓄積した。さらに、図９に示すように番組に関連する情報をインターネット等のＵＲＬを指定することで、詳細な情報を対応つけて蓄積することが可能になる。また、インターネット等で番組に関するトレードマークＡ等を対応つけて蓄積しておくことにより、一見しただけで、番組情報を確認することも可能になる。図９では、ユーザがＵＲＬを入力することで蓄積された番組情報を取得したが、放送波で多重化された情報の中にＵＲＬ等の情報が含まれていてもよい。このように、番組に関するテキスト情報を蓄積しておくことにより、番組の内容をキーワード等で検索することが可能になる。また、テキスト情報を用いて録画された番組内容を分類することが可能になる。
【００６５】
また、本実施の形態では、番組蓄積装置は、ハードディスクレコーダ等の録画装置で実現している。また、番組情報を表示する端末と、番組情報が蓄積されている装置（ハードディスクレコーダやＤＶＤ録画装置等）とがネットワークを介して接続されたハードウエアでも実現できる。
【００６６】
また、本実施の形態では、録画された番組の情報を表示する際の動作において番組情報の表示可能でない場合に、番組情報が長い番組の番組情報の量を削減することで番組情報を表示している。しかしながら、録画された番組の視聴履歴を蓄積することにより、視聴回数の多い番組については、ユーザが内容を覚えている可能性が高いため、番組情報選択部３７０６が番組情報の量を削減する際（ステップＳ７０５）に、視聴回数の多い番組を選択し、番組情報を削減するようにすることで、番組情報を制御してもよい。これにより、蓄積されている番組情報を表示端末の性能に応じて、視聴履歴を考慮して表示することが可能になる。さらに、視聴履歴をユーザ毎に蓄積しておくことにより、番組情報を閲覧しているユーザと、録画（蓄積）した番組を閲覧したユーザの履歴を考慮して番組情報を表示することが可能になる。
【００６７】
また、本実施の形態では、録画された番組の情報を表示する際の動作において番組情報の表示可能でない場合に、番組情報が長い番組の番組情報の量を削減することで番組情報を表示している。しかしながら、蓄積された日時情報を利用して、蓄積（録画）された日時が現在日時に近い番組ほど詳細な情報を表示することができる。これにより、過去から蓄積されている番組情報に関しては、ユーザが過去に番組情報を閲覧して内容を記憶している可能性が高いため、概要に関する番組情報だけを表示し、最近、蓄積（録画）された番組情報に関しては詳細な番組情報を表示することが可能になる。
【００６８】
また、本実施の形態では、詳細な番組情報を表示するために番組情報の量や、番組の視聴回数や、番組が蓄積された日時を用いて、番組情報の量を制御する例について述べたが、これらの情報を組み合わせて表示する量を制御してもよい。
【００６９】
また、本実施の形態では、一つの番組情報配信の番組情報を蓄積したが、複数の番組情報配信元がある場合には、複数種類の番組情報を蓄積してもよい。これにより、番組情報を表示するときに、さらに、柔軟な番組情報の表示が可能になる。
【００７０】
また、本実施の形態では、異なる日時に配信された番組情報を選択的に表示することにより、番組情報を適切に表示させている。しかしながら、ユーザの番組の検索履歴や予約番組の登録履歴を用いて、番組情報をユーザの観点で表示することができる。具体的には、ユーザが、番組を検索するときに、放送時間情報、番組タイトル、番組出演者、番組の内容の４つの項目で番組が検索できるとする。このとき、ユーザが番組タイトルで番組情報を検索した回数が最も多かったとする。そこで、ユーザは番組タイトルを重視して番組情報を閲覧していると判断し、番組タイトルの項目を強調して表示する。例えば、他のフォントと異なる色のフォントを使って番組タイトルの表示や、他のフォントよりも大きいフォントで番組タイトルを表示することが可能になる。
【００７１】
また、本実施の形態では、番組情報記憶部３７０２と番組記憶部３７０８とを別の記憶部として構成しているが、これに限られるものではない。例えば、番組情報記憶部３７０２と番組記憶部３７０８とを１つの記憶部として構成することも可能である。この場合、番組を録画する際の動作において、番組録画部３７０５は、この番組を録画するとともに、この番組に関する番組情報を対応付けて記録（ステップＳ６０２）した後、番組情報記憶部３７０２に記憶されているこの番組に関する番組情報を消去（ステップＳ６０３）する必要はない。すなわち、番組録画部３７０５は、この番組を録画するとともに、この番組に関する番組情報の対応付けを行えばよい。
【００７２】
以上のように、本発明に係る番組蓄積装置は、コンテンツを録画する番組蓄積装置であって、前記コンテンツに関するコンテンツ情報を取得する番組情報取得手段と、前記番組情報取得手段により取得された前記コンテンツ情報を記憶する番組情報記憶手段と、前記番組情報記憶手段に記憶されている前記コンテンツ情報と、前記番組情報取得手段により新たに取得された前記コンテンツ情報との差分を検出し、前記差分があるときには、前記番組情報記憶手段に記憶されている前記コンテンツ情報に加えて、新たに取得された前記コンテンツ情報を前記番組情報記憶手段に記憶する番組情報差分検出手段と、前記コンテンツを録画するとともに、前記番組情報記憶手段に記憶されている前記コンテンツに関する１つ以上の前記コンテンツ情報を前記コンテンツに対応付けて記憶する番組録画手段とを備えることを特徴とする。
【００７３】
また、前記番組蓄積装置は、さらに、前記番組録画手段により録画された前記コンテンツに関する１つ以上の前記コンテンツ情報の中から、前記コンテンツ情報を表示する表示装置に応じて前記コンテンツ情報を選択する番組情報選択手段を備えてもよい。
【００７４】
また、前記番組蓄積装置は、さらに、前記表示装置での表示可能な情報量を受け付ける表示情報量受付手段を備えてもよい。
【００７５】
これによって、ユーザやシステムにより録画されたコンテンツに対して詳細度の異なるコンテンツ情報を蓄積しておくことが可能になる。また、詳細度の異なるコンテンツ情報が蓄積されるため、ユーザの興味の度合いや、コンテンツ情報を表示する端末や表示領域に応じてコンテンツ情報を選択的に表示することが可能になる。
【００７６】
（実施の形態２）
実施の形態１においては、配信される番組情報の差分情報を検出し、１つの番組コンテンツに対して、１ヶ月前の番組情報、１週間前の番組情報、１日前の番組情報、さらには、放送終了後の番組情報を録画された番組コンテンツに対応させることで、番組情報を表示させるデジタルテレビ等の表示条件（画面仕様等）やユーザのニーズに対応して表示するものについて記載した。
【００７７】
本実施の形態では、さらに、家庭内で録画された番組コンテンツの番組情報を携帯電話等の小型のモバイル端末で表示させ、ユーザが家庭内で蓄積されている番組情報を確認できる番組情報表示装置を提供するものである。
【００７８】
本発明の実施の形態を実現するためのシステム構成を図１０に示す。図１０の番組情報表示装置においては、放送受信部５１０１、番組録画部５１０２、番組記憶部５１０３、番組情報取得部５１０４、番組情報差分検出部５１０５、番組情報記憶部５１０６、表示端末性能記憶部５１０７、番組情報表示要求入力部５１０８、番組情報表示要求受信部５１０９、番組情報選択部５１１０から構成されている。
【００７９】
図１０で示すシステム構成を実現するハードウエア構成の例を図１１に示す。図１１においては、家庭内において、デジタルテレビに接続されたハードディスクレコーダーが番組コンテンツを録画することができ、同時に番組コンテンツに関する番組情報も蓄積する。このようにしてハードディスクレコーダーに多量に番組コンテンツが蓄積されると、屋外において、家庭内で録画されている番組情報を確認したり、家庭内であっても他の部屋から録画されている番組情報を確認したいというニーズがでてくる。しかしながら、番組情報を表示する各端末においては、画面仕様も、デコードできるマルチメディアコンテンツも異なることが通常である。そこで、家庭内においては、録画されている１つの番組コンテンツに対して、複数の番組情報を蓄積し、番組情報を表示する端末に応じて番組情報を選択しようとするものである。
【００８０】
次に、図１０の各モジュールの動作内容について説明する。放送受信部５１０１はアナログ放送またはデジタル放送用のアンテナを通じて番組コンテンツを受信する。なお、インターネット等で配信される番組コンテンツを受信してもよい。
【００８１】
番組録画部５１０２は放送受信部５１０１で受信した番組コンテンツをハードディスクやＤＶＤ(Digital Versatile Disc)等の記憶媒体へ蓄積する処理を行う。
【００８２】
番組記憶部５１０３は、ハードディスク等から構成される記憶媒体であり、番組録画部５１０２でエンコードされた番組コンテンツをデータ（動画データ）として蓄積する。番組記憶部では、例えば、図１２に示すように、録画した番組コンテンツに対して録画日時、録画時間、録画したチャンネル、さらに、録画した番組コンテンツに関する番組情報のＩＤが蓄積されている。録画された番組をユーザが閲覧するときには、番組記憶部で所定の動画蓄積フォーマット（ＭＰＥＧ等）で記憶されている動画をデコードすることで再生を行う。
【００８３】
番組情報取得部５１０４は、多重化された放送波やインターネット等を介して番組コンテンツに関する放送時間、タイトル、出演者、番組内容等の番組情報を取得する。
【００８４】
番組情報差分検出部５１０５、番組情報取得部５１０４で取得した番組情報の差分情報を検出して、番組情報の差分があれば、番組情報記憶部５１０６へ蓄積させる。番組情報は、一般に、番組コンテンツの放送時間に近づくほど、内容が多くなり、さらに、正確な番組情報が供給されるようになる。特に、ニュース等の番組情報の場合には、放送される直前にならなければ番組内容が決まらない場合もある。また、野球やサッカー等のスポーツ番組の場合には、番組放送時間の延長等の情報も番組情報として配信され、前回配信された番組情報との差分を検出し、差分があれば番組情報として記憶させる。
【００８５】
番組情報記憶部５１０６は番組記憶部５１０３と同様に、ハードディスク等の記憶媒体により構成されており、番組記憶部５１０３で記憶した番組コンテンツに関する番組情報を、番組情報差分検出部５１０５で差分が検出された場合には蓄積する。その結果、１つの番組コンテンツに対して、複数の異なる番組情報が蓄積されている。番組情報記憶部で記憶されている情報の内容の例を図１３に示す。図１３においては、図１２で蓄積された番組コンテンツ（録画番組ＩＤ＝００１）に関する「００１０」から「００１３」の４つの番組情報が記憶されている。番組コンテンツ「００１」に関連する番組情報「００１０」から「００１３」は、同じＡ社からの番組コンテンツの番組情報であるが配信された日時が異なるため各番組情報が異なるものとなっている。
【００８６】
配信された番組情報の具体例を図１４に示す。番組情報ＩＤ００１０から００１２は、番組が放送される前に配信された番組情報であり、番組情報ＩＤ００１３は番組が放送された後に配信された番組情報である。各番組情報においては、番組のタイトルや放送時間に関しては変更はないが、放送される日時に近づくほど、番組内容やゲストが決まりより詳細な番組情報が配信されるようになっている。また、番組情報にＭＰＥＧやＭＰ３等のテキスト以外の情報も含まれるようになっている。
【００８７】
表示端末性能記憶部５１０７は、番組情報を表示する端末の表示性能を記憶する。携帯電話の場合であれば、番組情報を表示できる領域（解像度）、その色数、番組情報に付与されているどのフォーマット（ＭＰＥＧ、ＭＰＥＧ２、ＷＭＦ等）の動画コンテンツが再生可能か、さらには番組情報に付与されているどの音声フォーマット（ＭＰ３、ＡＣＣ等）が再生可能か、等の情報が蓄積されている。このように表示端末性能記憶部５１０７では、表示端末で再生可能な動画または音声に関するフォーマットに関する情報も蓄積されている。
【００８８】
番組情報表示要求入力部５１０８は、番組情報を表示させる端末からユーザの画面操作等により番組情報を表示させようとした場合に、その要求を家庭内に設置されたハードディスクレコーダー等に番組が録画されていた場合には、その端末に対して番組の表示要求があったことを通知するものである。
【００８９】
番組情報表示要求受信部５１０９は、番組情報が蓄積されている装置において、番組情報表示要求入力部５１０８で入力された番組表示要求を受け付ける。例えば、録画されている番組の最新のものの番組情報の表示要求等を受け付けるものである。
【００９０】
番組情報選択部５１１０は、番組情報記憶部５１０６で記憶されている１つの番組コンテンツに対して複数の番組情報が表示されているときに、表示端末性能記憶部５１０７で記憶されている表示端末性能を参照し、適当な番組情報を選択する。
【００９１】
上記のように構成された番組情報表示装置の動作フローを図１５を用いて説明する。なお、番組情報を蓄積するフローに関しては実施の形態１のフロー（図２を参照）と同様であるため省略し、ユーザが携帯端末に対して番組情報の要求を入力した後からの動作のフローを説明する。
【００９２】
番組情報表示要求受信部５１０９において、番組情報の表示要求を受け付けたか（Ｓ５６０１）、受け付けた場合には、次のステップへ進むが、受け付けてない場合には、本ステップを繰り返す。番組情報要求を受けつけた場合には、番組コンテンツを識別するための番組コンテンツＩＤを取得する（Ｓ５６０２）。本例においては、番組コンテンツＩＤとして、「００１」を受け付けたとする。受信した番組コンテンツＩＤの番組情報が複数あるか否かを判断する（Ｓ５６０３）。本例では、「００１」の番組情報が「００１０」から「００１３」の４つと、複数存在するため次のステップへすすむ。番組情報が１つしかない場合には、Ｓ５６０５へすすみ、蓄積されている番組情報を出力する。
【００９３】
番組情報が複数存在する場合には、番組情報を選択するために、表示端末性能記憶部５１０７で蓄積されている番組情報を表示する端末の性能に関する情報を取得する（Ｓ５６０４）。番組情報を表示する端末の表示端末における表示可能な文字数を取得する。本例の場合、携帯端末に番組情報を表示するため、表示領域に入る文字数は、５０文字であったとする。次に、表示領域に入る文字数の番組情報があるかを調べる（Ｓ５６０６）。本例の場合には、５０文字以下の番組情報は、番組情報ＩＤが「００１１」は番組情報文字数が４５文字であるため「００１１」が選択される。番組情報に付加情報（画像、音声等の付加情報）がある場合には、それらの付加情報が番組情報を表示する端末で再生が可能か否かを判断する（Ｓ５６０８）。再生が可能な場合には、その番組情報が選択され（Ｓ５６０９）、再生ができない場合には、付加情報がない番組情報が選択される（Ｓ５６１０）。本例の場合には、番組情報「００１１」に付加情報がないため、テキスト情報のみである「００１１」が選択される。最後に選択された番組情報が表示端末へ送信され（Ｓ５６１２）、番組情報が表示される。
【００９４】
以上の結果、番組情報を表示する端末が携帯電話等の小型の表示装置の場合には、図１６（ａ）に示すように表示され、家庭内の小型ディスプレイの場合には、図１６（ｂ）に示すように表示される。
【００９５】
１つの番組コンテンツに対して複数の番組情報を対応つけて蓄積しておくことにより、番組情報を表示する端末の表示性能に応じて番組情報を自動的に選択し、番組情報を１画面に入る詳細度で表示することが可能になる。特に、番組情報は、情報配信元が作成した情報であるため、自然言語処理等の操作を行う必要がなく、適切な詳細度で番組情報を表現することが可能になっている。
【００９６】
（実施の形態３）
実施の形態２においては、１つの番組情報を表示するときに、番組情報を表示する端末の性能に応じて番組情報の詳細度を自動的に選択し、表示を行った。さらに、番組情報は１つの番組情報だけでなく、複数の番組情報を表示することがある。例えば、家庭内で録画されている番組を確認するときには、録画されている複数の番組をリスト的に表示することで番組情報を表示する。しかしながら、番組情報は、ドラマ等の場合においては、タイトルや出演者が同じであることが多く、それらの内容だけを番組情報として表示しても、ユーザは録画日時だけの情報で識別することが難しい。
【００９７】
特に、録画されている番組は、ユーザの嗜好にあった番組を録画するため、同様の内容の番組が録画されていることが多い。例えば、お気に入りのドラマであったり、普段から視聴しているニュースであったりする場合が多く、これらの番組情報はお互いに類似していることが多い。さらに、録画番組を確認するときには、これらの番組情報が同一画面に表示されることが多い。さらに、屋外から携帯電話等で録画されている番組を確認するときには、小さな画面に録画されている番組情報を表示するため、放送日時だけが異なる同様の内容の番組情報が表示されても、ユーザは、それらの番組コンテンツの内容を識別することは難しい。
【００９８】
そこで、本実施の形態においては、１つの番組に対して複数の番組情報が蓄積されているときに、同時に表示する番組情報の内容を参照し、各番組が識別できるレベルでの番組情報を選択する装置を提供するものである。
【００９９】
本番組情報表示装置のシステム構成を図１７に示す。図１７の番組情報表示装置は、放送受信部５８０１、番組録画部５８０２、番組記憶部５８０３、番組情報取得部５８０４、番組情報差分検出部５８０５、番組情報記憶部５８０６、複数番組情報表示要求入力部５８０７、複数番組情報表示要求受信部５８０８、複数番組情報選択部５８０９、複数番組情報表示部５８１０から構成されている。本番組情報表示装置のハードウエア構成は、実施の形態２と同様の構成（図１１を参照）であるため、説明を省略する。
【０１００】
次に、図１７の各モジュールの動作について説明する。ただし、５８０１から５８０６のモジュールは実施の形態２と同様の動作を行うため説明を省略する。
【０１０１】
複数番組情報表示要求入力部５８０７は、複数の番組情報の表示の要求をユーザから受け付ける。例えば、外出先の携帯端末でユーザから、すでに録画されているニュースやドラマ等の複数の番組情報の要求が入力される。
【０１０２】
複数番組情報表示要求受信部５８０８は、複数番組情報表示要求入力部５８０７から入力された複数の番組の番組情報の表示要求を受け付ける。
【０１０３】
複数番組情報選択部５８０９は、複数番組情報表示要求受信部で受信した番組情報を番組情報記憶部５８０６を検索し、番組情報が一部同じ場合には、異なる部分の番組情報があるものを選択する。例えば、図１８のように放送が開始される１ヶ月前に配信された番組情報と１週間前に配信された番組情報と、１日前に配信された番組情報が蓄積されていたとする。このとき、１０月２２日の「赤い疑惑」と１０月１５日の「赤い疑惑」の番組情報を表示する場合に、１ヶ月前に配信された番組情報では、タイトルと出演者が同じであるため、同時に表示した場合、番組の区別がつかなくなる。一方、１週間前に配信された番組情報を利用すると、「赤い疑惑」のタイトルと出演者に加え、その日の番組の内容のタイトル「特別国会での演説」や「弁護士事務所の危機」等の内容が追加されているため、ユーザにとって番組の区別がつく。このように、同じタイトルの番組情報の表示要求があった場合には、各番組の区別がつくレベルの詳細度を自動的に決定し番組情報として選択するものである。
【０１０４】
複数番組情報表示部５８１０は、複数番組情報選択部５８０９で選択された番組情報を表示するものである。例えば、図１９に示すように、同じタイトルの番組の表示要求がされた場合には、（ａ）に示すように番組の区別がつくレベルでの詳細度での番組情報の選択が行われる。一方、異なる複数の番組が異なるタイトルであった場合には、（ｂ）に示すように簡易なレベルの詳細度での番組情報で十分である。
【０１０５】
以上のように１つの番組コンテンツに対して、複数の詳細度での番組情報が蓄積されていた場合には、同時に表示させる番組情報に応じて、番組情報を選択することで、ユーザは、各番組の識別が可能になる。
【０１０６】
以上の動作を図２０のフローチャートを用いて説明する。はじめに、複数番組情報表示要求受信部５８０８において、複数の番組情報の表示要求を受け付けると次のステップへすすむ（Ｓ６１０１）。複数の番組情報の表示要求を受け付けなければ本ステップを繰り返す。複数番組情報表示要求受信部５８０８で複数の番組情報表示要求を受け付けると、その複数の番組情報ＩＤを取得する（Ｓ６１０２）。番組情報の識別は、録画した日時とチャンネルから番組を識別することが可能である。番組情報取得部で取得した番組に関して最も古く取得した番組情報において異なるか否かを判断する（Ｓ６１０３）。図１８の例の場合には、１ヶ月前に取得した番組情報が同一か否かを判断する。本例の場合、１ヶ月前に受信した番組情報は同一であるため、Ｓ６１０４へすすむ。逆に、最も古い番組情報において異なる場合には、番組情報の表示要求を受け付けた複数の番組は、番組タイトルも異なる番組であると判断し、各番組情報を出力する（Ｓ６１０６）。Ｓ６１０４では、１ヶ月前の番組情報が同一であったため、次に古い１週間前の番組情報を選択し（Ｓ６１０４）、それらの番組情報において同一か否かを判断する（Ｓ６１０５）。本例の場合、１週間前の番組情報においては、異なる番組情報であるため、それらの番組情報を出力する。１週間前の番組情報においても、同一であり、さらには、１日前の番組情報でも同一であった場合には、それらの番組は再放送であると判断し（Ｓ６１０７）、同一の番組情報を出力する。
【０１０７】
以上の動作の結果、複数の番組情報を表示するときには、図１９（ａ）に示すように番組内容の違いが識別できるレベルの詳細度で番組情報を提示することができる。
【０１０８】
なお、本実施の形態においては、表示される番組情報は、放送の１週間前に配信された番組情報を表示したが、異なる部分だけを表示してもよい。これにより、例えば、図２１に示すように、番組の内容の部分だけを表示することになる。また、タイトルと、異なる部分だけを表示してもよい。
【０１０９】
なお、本実施の形態においては、番組情報を要求された複数の番組情報について、各番組情報が同一であるか否かで、さらに、詳細な番組情報が必要か否かを判断した。しかしながら、番組情報として例えば、「連続ドラマ  赤い疑惑（１）出演者：相田△△、織田○○」と「連続ドラマ  赤い疑惑（２）出演者：相田△△、織田○○」という番組が選択された場合には、番組情報全体に対して、ほとんどの部分が同じ番組情報となってしまっている。このような番組情報を携帯電話等の小さい表示領域しかない端末で表示した場合、差分が少ない番組情報が表示されてしまう。そこで、番組情報差分検出部５８０５において、番組情報全体に対して番組情報が異なる部分の文字量である
番組差分率＝（番組情報が異なる文字数）／（番組情報の全体量）
を算出し、この値が小さい場合には、番組情報が類似していると判断し、さらに詳細な番組情報を選択し表示させる。これにより、ドラマ等の放送回数だけが異なる番組情報の場合には、さらに詳細な番組情報が選択され、ユーザにとって録画されている番組の識別がさらに容易になる。
【０１１０】
（実施の形態４）
実施の形態１、２、３においては、各番組コンテンツに対応する複数の番組情報を特徴的な方法で用いることによって、表示端末の性能や番組情報を表示する個数に応じて、ユーザが番組情報を閲覧しやすいような表示を行った。しかしながら、１つの番組コンテンツに対して放送前の番組情報だけでなく、番組放送後にも番組情報が提供される場合がある。例えば、プロ野球の番組であった場合に、放送後には、その試合の結果に関する情報も含まれている場合がある。このとき、録画されている番組の情報を確認するために、番組情報を閲覧すると、試合結果までわかってしまい、閲覧する楽しみがなくなる場合がある。
【０１１１】
そこで、本実施の形態においては、番組コンテンツに対して放送前と放送後の番組情報が蓄積されている場合には、ユーザに番組コンテンツに対する閲覧履歴から、適切な番組情報を選択する番組情報表示装置を提供するものである。
【０１１２】
本番組情報表示装置のシステム構成を図２２に示す。図２２の番組情報表示装置は、放送受信部６２０１、番組録画部６２０２、番組記憶部６２０３、番組情報取得部６２０４、番組情報差分検出部６２０５、番組情報記憶部６２０６、録画番組閲覧操作受付部６２０７、録画番組表示制御部６２０８、録画番組閲覧履歴記憶部６２０９、番組情報選択部６２１０、番組情報表示部６２１１から構成されている。
【０１１３】
次に、図２２の各モジュールの動作について説明する。ただし、６２０１から６２０６のモジュールは実施の形態２、３と同様の動作を行うため説明を省略する。
【０１１４】
録画番組閲覧操作受付部６２０７は、番組記憶部６２０３で録画されている番組の閲覧操作をユーザから受け付ける。例えば、録画されている番組コンテンツを選択し、再生操作や早送り装操作、一時停止操作等により閲覧するものである。
【０１１５】
録画番組表示制御部６２０８は、録画番組閲覧操作受付部６２０７で受け付けた閲覧操作に対して録画番組の表示を制御する。
【０１１６】
録画番組閲覧履歴記憶部６２０９は、録画番組閲覧操作受付部６２０７で受け付けられた番組録画部６２０２で蓄積されている録画番組に対するユーザの閲覧操作の履歴を蓄積する。例えば、図２３に示すように番組の閲覧履歴が蓄積されている。なお、番組コンテンツ再生において通常再生により閲覧した割合を表す通常再生率（閲覧集中度とも言う）等もこの閲覧履歴の一部として蓄積されている。この通常再生率を算出するための構成、及びその算出方法は、後の実施の形態６及び７において詳述する。図２３の例においては、「プロ野球ゴールデンナイター」は、２００３年１０月２２日に録画され、２５日には、ユーザによって閲覧されていることを示している。
【０１１７】
番組情報選択部６２１０は、録画番組閲覧履歴記憶部６２０９で録画された番組のユーザによる閲覧履歴に応じて、番組情報記憶部６２０６で記憶されている番組情報の選択を行う。番組情報記憶部６２０６においては、番組録画部６２０２で蓄積されている番組コンテンツに対して番組の放送前の番組情報と、番組の放送後の番組情報が蓄積されている。そして、録画された番組に関してユーザが閲覧していない番組に関しては、番組が放送される前までに配信されていた番組情報を選択する。逆に、ユーザが閲覧した録画番組に関する番組情報は、番組が配信された後に取得した番組情報を選択する。図２４に示すように、プロ野球ゴールデンナイターの番組情報として、２種類の番組情報が番組情報記憶部で記憶されていたとする。図２４では、放送後の番組情報においては、プロ野球の点数の結果の番組情報が配信されている。このとき、図２３に示すように、プロ野球ゴールデンナイターをユーザが閲覧していた場合には、放送された後に配信された野球の結果の情報が含まれるものが選択される。
【０１１８】
番組情報表示部６２１１は、番組情報選択部６２１０で選択された番組情報を表示する。例えば、図２５（ａ）に示すように、録画された番組を閲覧した後には、放送終了後に配信された番組情報を表示する。逆に、閲覧前の場合には、図２５（ｂ）に示すように、野球の結果に関する情報は含まれていないものを表示することとなる。
【０１１９】
以上の動作を図２６のフローチャートを用いて説明する。はじめに、番組情報表示要求を受け付けるまで本ステップを繰り返し、番組情報要求を受け付けると次のステップへすすむ（Ｓ６６０１）。番組情報を要求された番組ＩＤを取得する（Ｓ６６０２）。番組ＩＤの番組コンテンツに関して、録画番組閲覧履歴記憶部６２０９で番組の閲覧履歴の有無を検索する（Ｓ６６０３）。録画番組の閲覧したことがある場合には、Ｓ６６０５へすすみ、閲覧していない場合には、Ｓ６６０６へすすむ。番組の閲覧したことがある場合には、番組放送前の番組情報を出力（Ｓ６６０５）し、番組を閲覧したことがない場合には、番組放送後の番組情報を出力（Ｓ６６０６）する。最後に、出力された番組情報を端末で表示する（Ｓ６６０７）。
【０１２０】
以上の動作の結果、録画されている番組の閲覧履歴から、各番組に対応した番組情報を適切に選択することが可能になる。特に、閲覧前の番組に関しては、放送前に取得した番組情報を表示することで、番組の閲覧の楽しみを妨げることがなくなる。
【０１２１】
なお、本実施の形態においては、閲覧したか否かによって番組情報の選択を行った。さらに、録画されている番組の閲覧集中度を計算し、各番組に対するユーザの嗜好を算出し、その興味に応じて、番組情報の詳細度を変更してもよい。また、閲覧回数が多い番組に関しては、ユーザが内容にタイトルを見ただけで内容を思い出すことができることが予想される。そこで、閲覧回数の多い番組の情報を表示するときには、最も簡易な番組情報を選択することが可能である。また、閲覧履歴記憶手段で記憶されている録画番組の閲覧履歴から、前回閲覧したときまでの時間に応じて、番組情報の詳細度を変更してもよい。これにより、最近、閲覧した番組に関してはユーザの記憶に残っている可能性が高いため、冗長な番組情報を表示せず、ユーザの記憶に残っている可能性の低い番組情報については、詳細な番組情報を提供することが可能になる。
【０１２２】
（実施の形態５）
実施の形態２から４においては、単一の業者から番組情報が配信される例について説明した。しかしながら、番組情報を配信するサービス会社は複数存在し、それぞれの番組情報において、特徴をもたせることがある。そこで、本実施の形態においては、複数の番組情報の提供元があった場合に、それらの番組情報を選択または融合することで、ユーザにとって最適な番組情報を提示する番組情報表示装置を提供するものである。
【０１２３】
本番組情報表示装置のシステム構成を図２７に示す。図２７の番組情報表示装置は、放送受信部６７０１、番組録画部６７０２、番組記憶部６７０３、第１の番組情報取得部６７０４、第２の番組情報取得部６７０５、番組情報差分検出部６７０６、番組情報記憶部６７０７、番組情報融合部６７０８、番組情報表示要求受信部６７０９、番組情報選択部６７１０、番組情報表示部６７１１から構成されている。
【０１２４】
次に、図２７の各モジュールの動作について説明する。ただし、６７０１から６７０７のモジュールは、２つの番組情報取得部をもつが、基本的には実施の形態２、３、４と同様の動作を行うため説明を省略する。
【０１２５】
番組情報融合部６７０８は、第１の番組情報取得部で取得した番組情報と、第２の番組情報取得部で取得した番組情報を融合して新たな番組情報を生成する。実施の形態２から４においては、録画されたある番組コンテンツに対して複数の番組情報が蓄積されていた。本実施の形態においては、録画されたある番組コンテンツに対して複数の配信元からの番組情報が蓄積されている。そこで、ある番組コンテンツに対して対応付けられている配信元が異なる複数の番組情報を合成して、新たな番組情報を生成する。
【０１２６】
番組情報は配信元に応じて特徴がある場合が多い。例えば、ある番組情報は、更新頻度が多く野球放送の延長等で番組の放送時間が変更になったときには、その変更がいち早くなされることを特徴とする番組情報配信がある。また、一方では、番組情報の更新頻度は多くないが、番組の内容に関する情報が豊富である番組情報配信がある。番組情報融合部６７０８では、これらの取得した番組情報を融合して新たな番組情報を生成する。
【０１２７】
例えば、図２８に示すように、番組情報を配信するＡ社とＢ社が存在して、両方の番組情報を取得していたとする。このとき、番組情報の更新頻度が早い番組配信元の番組の放送時間に関する情報を利用し、また、番組情報の内容の量が多い番組配信元の番組内容情報を利用することで、新たな番組情報を合成することが可能になる。このようにして生成された番組情報を利用して、実施の形態２から４で記載した番組情報の提供が可能になる。なお、６７０９から６７１１のモジュールの動作は、実施の形態２から４で述べたものと同様の動作を行うため、説明を省略する。
【０１２８】
以上の番組情報表示装置の番組情報を融合する部分の処理のフローを図２９を用いて説明する。はじめに、複数の配信元から番組情報を取得している場合に、各配信元毎に番組情報の更新頻度を算出する（Ｓ６９０１）。番組情報の更新頻度が最短の番組放送時間の情報を選択する（Ｓ６９０２）。次に、同一の番組に対して番組の情報量が多い配信元を選択し、さらに、その番組情報を選択する（Ｓ６９０３）。Ｓ６９０２で選択した番組の放送時間に関する情報とＳ６９０３で選択した番組内容に関する情報を融合することで新たな番組情報を生成し、番組情報記憶部へ登録する。
【０１２９】
以上の動作の結果、複数の番組配信元が存在したときに、それらの番組情報を融合することで、新たな番組情報を生成することが可能になる。
【０１３０】
（実施の形態６）
上記にも述べたように、番組の視聴履歴（チャンネル選択履歴）を蓄積し、選択された各番組のテキスト情報やメタデータ情報を用いて、ユーザの嗜好を抽出し、将来の番組から各ユーザに応じて番組を推薦する技術が開示されている。しかしながら、例えばテレビがつけっぱなしになっている場合等のように、チャンネルが選択されてテレビで番組が放送されていても、ユーザはテレビを閲覧しているとは限らない。そのため、チャンネルの選択履歴からだけでは、ユーザの嗜好を十分に表現できない場合がある。
【０１３１】
また、ハードディスクやＤＶＤの普及により番組を簡単に蓄積し、ランダムにアクセスできるようになってきている。そこで、ユーザによる録画履歴を用いて、どのような番組を録画予約しているかの情報から、ユーザの嗜好を抽出する技術が開示されている。この場合、番組予約録画はユーザの意図で行われるため、テレビのチャンネル選択履歴を用いる場合に比べて、正確な嗜好を抽出することができるようになっている。しかしながら、予約録画履歴だけから、そのユーザの嗜好を抽出しようとすると、誤って録画予約したものや、録画予約したが、あまり好みの番組でなかった場合には、誤った嗜好を抽出してしまう。
【０１３２】
そこで、本実施の形態では、録画された番組をどのような閲覧操作で閲覧したかを履歴として蓄積し、ユーザが録画された番組に対して興味があったか否かを推定し、その推定結果からそのユーザの嗜好を抽出することで、新たに得られる番組表から推薦すべき番組を選択する番組選択装置について説明する。
【０１３３】
図３０は、本発明の実施の形態６に係る番組選択装置の構成を示すブロック図である。
【０１３４】
番組選択装置１１００は、ユーザの嗜好に応じて番組を選択するための装置であり、図３０に示すように放送受信部１１０１、番組録画部１１０２、録画番組閲覧部１１０３、閲覧操作受付部１１０４、閲覧操作履歴蓄積部１１０５、閲覧集中度算出部１１０６、嗜好抽出部１１０７、番組情報取得部１１０８、番組選択部１１０９、番組録画予約部１１１０、番組記憶部１１１１、および操作履歴記憶部１１１２を備えている。
【０１３５】
放送受信部１１０１は、放送されている番組（コンテンツ）を受信する。番組録画部１１０２は、受信された番組を番組記憶部１１１１へ録画する。番組記憶部１１１１は、番組録画部１１０２により録画される番組を記憶する例えばハードディスク等の記憶部である。録画番組閲覧部１１０３は、番組録画部１１０２で録画されて番組記憶部１１１１に記憶されている番組（録画番組）を再生する。閲覧操作受付部１１０４は、録画番組閲覧部１１０３による録画番組の再生を制御するための閲覧操作をユーザから受け付ける。閲覧操作履歴蓄積部１１０５は、閲覧操作受付部１１０４で受け付けされた閲覧操作の履歴を操作履歴記憶部１１１２へ蓄積する。閲覧集中度算出部１１０６は、操作履歴記憶部１１１２に蓄積されている閲覧操作の履歴からユーザの番組に対する閲覧集中度を算出する。嗜好抽出部１１０７は、閲覧集中度算出部１１０６で算出された閲覧集中度に基づいてユーザの嗜好を抽出する。番組情報取得部１１０８は、番組情報（ＥＰＧ）を取得する。番組選択部１１０９は、取得されたＥＰＧの中の番組表から嗜好抽出部１１０７で抽出された嗜好にあった番組を選択する。番組録画予約部１１１０は、番組選択部１１０９で選択された番組の予約録画を行う。
【０１３６】
図３１は本発明の実施の形態６に係る番組選択装置が用いられるハードウエア構成の一例を示す構成図である。このシステムは、放送番組を画面に表示するデジタルテレビ１２０１、番組選択装置を有するハードディスクレコーダ１２０２、家庭内の機器と屋外の通信機器を結ぶホームゲートウエイ１２０３、屋外から遠隔で予約録画等が可能な携帯電話１２０４、およびハードディスクレコーダ１２０２の再生を制御する閲覧用リモコン１２０５を備えている。
【０１３７】
このシステムの動作の概要について説明する。ハードディスクレコーダ１２０２には、ユーザが録画予約した番組が蓄積されており、ユーザはデジタルテレビ１２０１を用いて番組を閲覧する。番組を閲覧（再生）するときには、閲覧用リモコン１２０５を用いて興味のないシーンは早送りを行い、興味のあるシーンは何度も閲覧したりする。蓄積されている各番組に対して、このような閲覧操作の履歴を蓄積し、各番組に対する興味度合いを計算し、ユーザの嗜好を抽出する。例えば、野球番組に対して繰り返し視聴するユーザは、野球に興味があると判断し、次回以降の野球に関する番組があれば、自動的に録画することも可能である。逆に、野球番組を蓄積したにもかかわらず、蓄積された日から１ヶ月たっても閲覧しないようなユーザは、野球番組を蓄積したが、野球に対しては興味が小さいと判断し、野球関連の番組を推薦しないようにする必要がある。
【０１３８】
次に、上記のように構成された番組選択装置においてユーザの嗜好を抽出する際の動作について説明する。図３２は番組選択装置においてユーザの嗜好を抽出する際の動作の流れを示すフローチャートである。
【０１３９】
番組録画部１１０２は、ユーザによってＧコードや放送予定時刻とチャンネルが設定されることにより録画予約を行われた番組を番組記憶部１１１１へ録画する（ステップＳ１０１）。また、番組録画部１１０２は、番組を録画する際には、番組情報取得部１１０８で取得されたＥＰＧ等より番組に関する情報も同時に番組記憶部１１１１へ蓄積する。ここで、例えば図３３に示すような番組が蓄積されているとする。この場合、例えば図３３の「ニュースの泉」に関しては、番組に関する情報として、図３４に示すように「ニュースの泉」の出演者や、番組の内容についての情報も蓄積されているものとする。
【０１４０】
ユーザによって録画された各番組が視聴されたときには、各番組が視聴されたときの機器の制御操作履歴を蓄積する（ステップＳ１０２）。すなわち、閲覧操作履歴蓄積部１１０５は、閲覧操作受付部１１０４で受け付けされた例えば早送りや巻き戻し等の閲覧操作の履歴を操作履歴記憶部１１１２へ蓄積する。
【０１４１】
図３５、３６、３７、３８、３９は録画番組が閲覧された際の閲覧操作の例を示す図であり、それぞれ（ａ）閲覧操作を模式的に示した図、（ｂ）各番組に対応させて操作履歴記憶部１１１２へ蓄積される履歴の例を示す図である。図３５は、録画番組中にＣＭがある番組の例である。図３５に示す例では、番組開始の００分から２０分までは通常再生により閲覧し、２０分から２３分の間はＣＭだったのでユーザが早送り再生によってとばし、ＣＭが２２分までだったがとばしすぎて２３分までいったので、２３分から２２分の時点まではもどしている。その後、２２分から３０分までは通常再生により閲覧したことを示している。ここで、番組記憶部１１１１へ蓄積された番組には、各フレームに対して番組コンテンツであるかＣＭであるかの区分に関する情報が、放送送信側においてあらかじめ付与されているものとする。なお、ステレオ放送であるか否かよりＣＭ区分を検出してもよい。
【０１４２】
図３６は、例えば録画番組がニュース等の番組の例である。図３６に示す例では、番組開始の００分から１３分までは通常再生により閲覧し、１３分から１９分の間は例えば興味のないニュースだったのでユーザが早送り再生によってとばし、１９分から２４分までは通常再生により閲覧し、再び２４分から２６分の間は興味のないニュースだったのでユーザが早送り再生によってとばし、その後、２６分から３０分までは通常再生により閲覧したことを示している。
【０１４３】
図３７は、例えば録画番組が映画等の番組の例である。図３７に示す例では、番組開始の００分から最後の３０分まで通常再生により閲覧したことを示している。図３８、３９は、例えば録画番組が興味のない番組の例である。図３８に示す例では、番組開始の００分から０２分まで通常再生により閲覧し、０２分から３０分までユーザが早送り再生によってとばしたことを示している。図３９に示す例では、番組開始の００分から０２分まで通常再生により閲覧し、０２分から０４分までユーザが早送り再生によってとばし、その後、閲覧を終了したことを示している。
【０１４４】
次に、嗜好抽出部１１０７は、ユーザによって閲覧された番組が所定の番組数に到達したか否かの判定を行う（ステップＳ１０３）。ユーザによってある程度の数の番組（例えば、１０番組）が閲覧されていなければ、ユーザの閲覧操作から嗜好を抽出することは難しい。そこで、所定の番組数に満たない場合（ステップＳ１０３でＮＯ）には、番組録画および／または閲覧操作の履歴の蓄積を繰り返すことになる。
【０１４５】
閲覧した番組が所定の番組数に到達した場合（ステップＳ１０３でＹＥＳ）には、嗜好抽出部１１０７は、録画された番組に対して、番組記憶部１１１１に蓄積されている図３４に示すような番組に関する情報から番組を特徴付けるキーワードを抽出する（ステップＳ１０４）。例えば、図３４に示す「ニュースの泉」のような番組であれば、番組を特徴付けるキーワードとして、ジャンル情報として「ニュース」「ドキュメント」、出演者の情報として「田中△△」「鈴木○○」、内容の情報として「日本シリーズ」「外務大臣」「少女殺人事件」等のキーワードを抽出する。なお、このキーワード抽出では、番組にあらかじめ付与されているタグ情報を利用してもよいし、番組の内容を記述したテキスト情報から形態素解析等の処理手法を用いてもよい。また、番組を特徴付けるキーワードをＴＦ−ＩＤＦ手法のようなキーワードの頻度の統計情報を用いて決定しても構わない。
【０１４６】
次に、閲覧集中度算出部１１０６は、操作履歴記憶部１１１２に蓄積されている閲覧操作の履歴からユーザの番組に対する興味の度合いを示す閲覧集中度を算出する（ステップＳ１０５）。本実施の形態では、各番組での早送り等の操作を使わずに、通常再生で再生された時間の割合を示す通常再生率を番組に対する閲覧集中度として算出する。図３５に示す例では、３０分のうち２分間は通常再生していない時間が存在するため、通常再生した時間は２８分となり、通常再生率は２８／３０×１００＝９３．３％となる。図３５〜図３９に示す例のように閲覧された各番組に対して通常再生率を算出すると、図４０に示すようにそれぞれ９３．３％、７３．３％、１００％、６．７％、６．７％となる。このように図４０に示すような閲覧された各番組に対する通常再生率が、各番組に対する興味の度合いを表現している。
【０１４７】
次に、嗜好抽出部１１０７は、抽出したキーワードに対して、閲覧集中度算出部１１０６により算出された閲覧集中度に基づいて、ユーザの嗜好としてキーワードの重要度を算出する（ステップＳ１０６）。例えば、図３４に示すような番組に関する情報を有する番組の閲覧集中度、すなわち通常再生率が、９３．８％であった場合には、図３４に示す番組に関する情報から抽出された番組のキーワードである、「ニュース」、「ドキュメント」、「田中△△」、「鈴木○○」、「日本シリーズ」、「外務大臣」、「少女殺人事件」などのキーワードに対する重要度を０．９３８とする。このように嗜好抽出部１１０７は、閲覧された録画番組ごとに、それぞれ各キーワードに対して重要度を求める。そして、嗜好抽出部１１０７は、各キーワードに対する重要度の和を算出し、例えば図４１に示すようなキーワードと重要度との対応表を作成する。
【０１４８】
次に、上記のようにユーザの嗜好が抽出されている状態で、番組推薦の要求があった際の番組選択装置での動作について説明する。図４２は番組選択装置において番組推薦の要求があった際の動作の流れを示すフローチャートである。
【０１４９】
番組選択部１１０９は、番組情報取得部１１０８で取得されたＥＰＧの中の番組表（例えば、現在から１週間後まで）から嗜好抽出部１１０７で算出されたキーワードに対する重要度に基づいて番組を所定数選択する（ステップＳ２０１）。すなわち、番組選択部１１０９は、番組表のテキストデータの中に含まれるキーワードの重要度の合計が高い番組を順に所定数選択する。例えば、「ニュース」、「鈴木○○」というキーワードが含まれている番組であれば、その番組に対するキーワードの重要度の合計は１０．２＋７．２＝１７．４となる。このように番組選択部１１０９は、ユーザが興味をもちそうな番組を選択することが可能になる。なお、キーワードの重要度の合計は単純な和を計算すると、テキスト内容が多い番組が選択される確率が高くなるため、番組のテキスト量（文字数）に対する割合で計算してもよい。
【０１５０】
番組録画予約部１１１０は、番組選択部１１０９により選択された番組が、録画予約設定されているか否かを検出する（ステップＳ２０２）。ここで、番組選択部１１０９により選択された番組すべてが録画予約設定されている場合（ステップＳ２０２でＹＥＳ）には、処理を終了する。なお、録画予約設定されているか否かは、例えばハードディスク録画装置やＤＶＤ録画装置において、チャンネル番号と録画日時と時間の照合で判断することができる。
【０１５１】
一方、番組選択部１１０９により選択された番組の１つでも録画予約設定されていない場合（ステップＳ２０２でＮＯ）には、番組録画予約部１１１０は、番組選択部１１０９により選択された番組の中で録画予約されていない番組を推薦番組としてテレビや携帯電話等の画面に表示する（ステップＳ２０３）。例えば、図４３に示すように推薦番組をテレビ画面に表示する。また、携帯電話１２０４等の画面であれば、図４４に示すように推薦番組を表示する。
【０１５２】
番組録画予約部１１１０は、表示した推薦番組の録画がユーザによって選択されたか否かを判定する（ステップＳ２０４）。ここで、ユーザによって録画が選択されなかった場合（ステップＳ２０４でＮＯ）には、処理を終了する。
【０１５３】
一方、ユーザによって録画が選択された場合（ステップＳ２０４でＹＥＳ）には、番組録画予約部１１１０は、ユーザによって録画が選択された推薦番組の録画予約設定を行う（ステップＳ２０５）。例えば、携帯電話１２０４で録画予約設定が行われた場合には、ホームゲートウエイ１２０３等を介してハードディスクレコーダ１２０２にメール等で知らせることにより、遠隔で録画予約設定を行う。
【０１５４】
以上のように、ユーザが録画した番組の閲覧操作履歴を用いて、ユーザの嗜好を抽出しているので、ユーザの嗜好にあった番組を選択することが可能になる。例えば、録画予約履歴だけを用いてユーザの嗜好を抽出する従来の装置のように、閲覧した結果気に入らなかった番組に近い番組が録画予約設定されるということがなくなる。また、テレビのチャンネルの選択履歴だけを用いてユーザの嗜好を抽出する従来の装置のように、テレビのチャンネルが選択されているが、誰も見ていない番組があった場合に適切な嗜好が抽出できず、適切な番組推薦が行えないという課題を解決できる。
【０１５５】
なお、本実施の形態では、ハードディスクレコーダに付属するリモコン等を用いた操作の履歴を蓄積したが、例えば携帯電話の赤外線通信を使ったリモコンを用いても構わない。この場合、ユーザの特定をすることができ、ユーザ毎に番組を推薦することができるようになる。
【０１５６】
また、本実施の形態では、閲覧集中度算出部１１０６は、通常再生で再生された時間の割合を示す通常再生率を、一律に番組に対する閲覧集中度として算出しているが、これに限られるものではない。例えば、ニュース番組等の場合は、ユーザの気に入ったニュースのみを閲覧し、ドラマ等の場合は、通常、すべてのシーンを再生することが多い。そこで、番組のジャンル（ニュース、ドラマ等）によって番組の集中度を算出する方法を用いてもよい。例えば、ニュース等の場合には、７０％の通常再生率の場合には、十分に興味があると判断し、ドラマ等のジャンルの場合には、９０％の通常再生率がなければ興味があると判断しないような関数を番組ジャンルごとに設定してもよい。また、ジャンルだけでなく、宣伝（ＣＭ）等の入るチャンネルと宣伝（ＣＭ）が入らないチャンネル、さらにはＣＭ除去機能を用いて録画した番組とで区別して閲覧集中度を計算してもよい。これにより、ジャンルやチャンネルに応じた閲覧集中度が計算され、より、ユーザの嗜好にあった番組選択が可能になる。また、例えば同じ番組を２回閲覧した場合には、ユーザの重要度が高いとして閲覧集中度を加算または最高値に設定しても構わない。
【０１５７】
また、本実施の形態では、家族で利用するハードディスクに蓄積されたコンテンツの操作履歴を用いて、新たな番組を推薦する技術について述べたが、ハードディスクを論理的に分割し、分割した各領域とユーザを対応付けすることで、各ユーザごとに番組の推薦を行うことが可能になる。例えば、１２０Ｇバイトのハードディスクに対して、３人家族である「お父さん」、「お母さん」、「子供」ごとに、４０Ｇバイトずつハードディスクを割り当て、各領域に蓄積された録画番組毎に嗜好を抽出することで、家族の各人毎に番組の推薦が可能になる。また、推薦された番組の情報を表示する端末として、テレビの画面でなく、各人の携帯電話等の端末を利用することにより、家族間のプライバシーを考慮した番組の推薦が可能になる。
【０１５８】
また、本実施の形態では、閲覧集中度算出部１１０６は、通常再生で再生された時間の割合を示す通常再生率を番組に対する閲覧集中度として算出しているが、これに限られるものではない。例えば、閲覧集中度算出部１１０６は、早送りや逆戻し等の閲覧操作の履歴の回数を用いて番組に対する閲覧集中度を算出してもよい。この場合、例えば図４５に示すように、１つの番組の中で操作された早送りや巻き戻しの回数に応じてあらかじめ閲覧集中度を設定しておけばよい。
【０１５９】
さらに、閲覧集中度算出部１１０６は、番組を録画してから閲覧されるまでの時間を計測し、この時間を用いて番組に対する閲覧集中度を算出してもよい。この場合、例えば図４６に示すように、番組を録画してから早く閲覧する番組は、ユーザにとって重要な番組であると判断し、その番組に対する閲覧集中度を大きくすることができる。
【０１６０】
さらに、閲覧集中度算出部１１０６は、１つの番組を録画してからその番組を消去するまでの時間を計測し、この時間を用いて番組に対する閲覧集中度を算出してもよい。この場合、例えば図４７に示すように、番組を録画して、一度、閲覧したらすぐに消去するような番組は、ユーザにとってはあまり重要でない番組であると判断してもよい。逆に、録画した番組を長年にわたり蓄積したままにしておく場合には、その番組が重要であると判断することができる。
【０１６１】
また、休日に録画したのであれば録画した番組をすぐに閲覧することは可能であるが、平日であれば録画した番組をすぐに閲覧することは難しい。そこで、カレンダー情報と番組が録画されてから閲覧されるまでの時間を考慮してユーザにとって重要な番組であるか否かを判断してもよい。また閲覧できる時間は、学生や主婦、サラリーマン、自営業の労働者等、個人のライフスタイルによって異なるためユーザごとに閲覧できる時間帯を設定し、その時間帯において、複数の番組が録画されていた場合に、どの番組から閲覧したかの情報を利用してユーザにとって重要な番組を決定してもよい。
【０１６２】
また、本実施の形態では、録画番組を閲覧するときの操作の履歴から、その番組に対する閲覧集中度を算出しているが、さらに、録画番組を閲覧した後に、図４８に示すように、今後、関連番組をチェックするか否かをユーザに選択させることにより、その番組に対する重要度を入力させてもよい。また、興味があるか否かだけでなく、好みの度合いを入力させてもよい。
【０１６３】
また、上記の番組の通常再生率、閲覧時の操作回数、録画してから閲覧するまでの時間、録画してから消去するまでの時間、録画してから消去するまでの閲覧回数、閲覧後の興味の度合い入力については、１つだけで閲覧集中度を算出するのではなく、それらを組合せて閲覧集中度を算出してもよい。
【０１６４】
また、本実施の形態では、録画された番組の閲覧操作履歴を蓄積しておくことにより、ユーザが興味をもつ番組の推薦を行った。一方で、ハードディスクが大容量化すると、多くの番組を蓄積できるようになるが、反面、蓄積したが、あまり閲覧しない番組も蓄積されたままになることがある。そこで、録画された番組の視聴履歴を蓄積しておくことにより、一度、蓄積した番組で、一定期間閲覧しない番組に関しては、ハードディスクの容量を確保するために、消去することをユーザにすすめることができる。また、解像度を変更して圧縮して蓄積することをユーザにすすめることもできる。
【０１６５】
また、本実施の形態では、録画された番組の閲覧操作履歴として早送りや巻き戻し等の閲覧操作の例で説明しているが、これに限られるものではない。さらに、録画された番組の編集作業を番組に対する操作履歴として蓄積し、その編集作業を番組に対する興味の度合いを算出してもよい。例えば、録画された番組に対してＣＭの部分を削除し、番組内容の部分だけをつなぎ合わせる等の操作を行った番組およびそのジャンルについては、ユーザが十分に興味を持っていると判断することができる。さらに、ハードディスクに蓄積した番組をＤＶＤ等の持ち歩きできるメディアや、ハードディスクの容量に依存せずに永久に保存できるメディアにコピーが行われた場合には、その番組に対してユーザが十分に興味を持っていると判断することができる。さらには、ハードディスク等に蓄積された番組を同一の解像度（圧縮率）でＤＶＤ等のメディアにコピーが行われた場合にも、その番組に対してユーザが十分に興味を持っていると判断してもよい。さらに、録画された番組を閲覧してから消去するまでの時間を計測し、その値に応じて閲覧集中度を計算してもよい。例えば、閲覧した後すぐに消去した番組と、閲覧してからも再度閲覧する可能性がある、または、家族の他のユーザに閲覧をすすめるために消去しなかった番組とでは、その番組に対する嗜好や重要度の度合いが異なる。番組の閲覧を終了してから消去するまでの時間も閲覧操作履歴として蓄積することにより、番組に対する閲覧者の嗜好を抽出することが可能になる。
【０１６６】
また、本実施の形態では、番組の閲覧履歴から、ユーザの番組に対する嗜好を抽出し、番組の自動選択を行った。このようにして自動選択された番組をハードディスク等に蓄積することで、ユーザは録画予約の操作なしで、多量な番組を自動的に録画することが可能になるため、多量な番組が自動的に蓄積されることとなる。多量な番組の中から、閲覧すべき番組の順位をつけるとき、番組の分類に、各番組に対する閲覧履歴を用いてもよい。
【０１６７】
また、本実施の形態では、番組の閲覧履歴から、ユーザの番組に対する嗜好を抽出し、番組の自動選択を行った。さらに、録画された番組の閲覧履歴を利用することで、番組放送時間とは異なる、番組の実際の閲覧時間を測定することが可能である。例えば、５５分間のドラマであっても、最初のテーマ曲の部分や途中のＣＭの部分を早送りで再生して閲覧することで、実際には、４０分間で閲覧が可能になることもある。そこで、ユーザが閲覧できる時間を設定した場合に、番組に対する閲覧履歴を利用して、蓄積されているどの番組から閲覧すべきかを判断することが可能になる。例えば、５５分間のニュースが蓄積されていたとしても、閲覧者は、過去、蓄積されたニュースに関しては、最初の部分しか閲覧せず、１０分間で閲覧を完了していた履歴が蓄積されていたとする。このとき、ユーザの閲覧にあてられる時間が１５分間であったとしても、このニュース番組を閲覧可能な番組として選択することが可能となる。特に、会議の合間や電車やバス等の交通機関で録画されている多量な番組から所定の時間内で閲覧できる番組を選択する際には、有効である。
【０１６８】
また、本実施の形態では、番組毎の閲覧履歴を蓄積していたが、さらに、番組の閲覧順序を蓄積しておいてもよい。これにより、閲覧者の閲覧順序に対する傾向を抽出することが可能になる。例えば、１ヶ月蓄積された番組に対して、放映された順序で番組を閲覧するユーザＡと、蓄積されている番組から月曜日の９時のドラマを全部閲覧した後に、水曜日のニュースを閲覧するユーザＢが存在したとする。このとき、多量に蓄積された番組から、閲覧する番組を選択する際、過去のユーザの閲覧順序を参照することで、蓄積されている番組の表示順序を変更し、ユーザが蓄積されている番組を選択しやすくすることも可能になる。また、蓄積されているある番組の閲覧を終了した際に、「次に○○○を閲覧してはいかがですか」等のメッセージとともに、次の閲覧しそうな番組を推薦してもよい。特に、自動録画機能等によって多量な番組が蓄積されているときには有効である。
【０１６９】
また、特許文献３において蓄積された番組の視聴履歴をネットワークを介して収集し、リアルタイムに放映されている番組だけでなく蓄積された番組に対しても閲覧履歴を収集することで、ユーザが視聴したい番組中の領域をセンターで把握する技術について開示している。特に、番組に対して早送りや巻き戻し等の操作が行われた場合に、その部分を検出することで番組にＣＭ等を挿入する領域の検出に役立てようとするものである。よって、ユーザが通常再生するシーンを検出することが目的である。
【０１７０】
これに対して、本発明では、録画された番組の早送りや巻き戻し等の閲覧操作だけでなく、録画された番組を録画された日時から閲覧されるまでの時間や、録画された番組の閲覧回数や、閲覧した端末に関する情報など、録画された番組に対するユーザの操作情報と、番組のカテゴリーや内容等の情報を用いて、ユーザの興味を抽出し、大量の番組から興味ある番組を選択したり、番組を録画したりすることを目的とする。よって、録画された番組の閲覧操作だけでなく、録画された番組内容に関する情報が必須となり、これらの情報を利用してユーザの興味を推定するものである。
【０１７１】
（実施の形態７）
実施の形態７においては、録画された番組の閲覧操作履歴から、ユーザの嗜好にあった番組を選択する装置について述べた。さらに、ユーザが好む番組を選択するとともに、選択された番組を蓄積するときには、その番組を蓄積する際の解像度を決定する必要がある。例えば、携帯電話等で閲覧するのであれば、あまり解像度を必要としないため、録画するときには、解像度を低めで録画するので十分である。一方、お気に入りの番組をホームシアター等でじっくり閲覧するのであれば、高い解像度で蓄積すべきである。
【０１７２】
従来、特許文献４において、番組の属性に応じて録画する番組の解像度の決定や、ユーザの嗜好に応じて番組記録時の解像度（ビットレート）を決定することが記載されている。しかしながら、ユーザの番組の選択履歴等からだけでは、十分な嗜好を抽出することができず、録画番組の閲覧操作履歴から嗜好を抽出する必要がある。また、番組を蓄積する際の解像度を低くするのは、ユーザの興味だけから判断することはできない。例えば、お気に入りのドラマの番組を普段の出勤の車両で閲覧しているユーザは、家庭内で蓄積した番組を車載表示装置へ転送するために容量が少ない方が便利なことがある。そのため、毎日、閲覧している番組であっても高解像度で蓄積された番組の容量が大きくなると、ネットワークやモバイルメディアを介して家庭外へ番組を持ち出すのが不便となる。
【０１７３】
そこで、本実施の形態では、ユーザの番組の閲覧履歴だけでなく、視聴している端末での解像度の履歴を利用して、番組を蓄積する際の解像度を決定する場合について説明する。
【０１７４】
図４９は、本発明の実施の形態７に係る番組選択装置の構成を示すブロック図である。なお、図３０に示す番組選択装置と同様の部分については同じ符号を付し、詳細な説明を省略する。
【０１７５】
番組選択装置１３００は、番組を蓄積する際の解像度を決定するための装置であり、図４９に示すように放送受信部１１０１、番組録画部１１０２、録画番組閲覧部１１０３、閲覧操作受付部１１０４、閲覧操作履歴蓄積部１３０１、閲覧集中度算出部１３０２、番組情報取得部１１０８、番組録画予約部１３０３、番組記憶部１１１１、操作履歴記憶部１１１２、閲覧端末情報検出部１３０４、および書き込み部１３０５を備えている。
【０１７６】
閲覧端末情報検出部１３０４は、録画番組が閲覧された端末情報を検出する。閲覧操作履歴蓄積部１３０１は、閲覧操作受付部１１０４で受け付けされた閲覧操作の履歴、およびを閲覧端末情報検出部１３０４で検出された閲覧端末に関する情報を操作履歴記憶部１１１２へ蓄積する。閲覧集中度算出部１３０２は、操作履歴記憶部１１１２に蓄積されている閲覧操作の履歴、および閲覧端末に関する情報からユーザの番組に対する閲覧集中度を算出する。番組録画予約部１３０３は、閲覧集中度算出部１３０２で算出された閲覧集中度に基づいて、番組を蓄積する際の解像度を決定する。書き込み部１３０５は、番組記憶部１１１１に記憶されている番組（録画番組）を携帯型メディアに複製または移動する。
【０１７７】
図５０は本発明の実施の形態７に係る番組選択装置が用いられるハードウエア構成の一例を示す構成図である。このシステムは、放送番組を画面に表示するデジタルテレビ３００１、番組選択装置を有するハードディスクレコーダ３００２、家庭内の機器と屋外の通信機器を結ぶホームゲートウエイ３００３、ハードディスクレコーダ３００２に録画した番組を他の端末でも閲覧するために取り出すための携帯型メディア（例えばＳＤカード等）３００４、屋外から遠隔による予約録画や携帯型メディアでとりだした番組が再生できる携帯電話３００５、および車両等に装着された表示機で携帯型メディア３００４に蓄積された番組を再生できる車載ディスプレイ３００６を備えている。
【０１７８】
このシステムの動作の概要について説明する。ハードディスクレコーダ３００２には、ユーザが録画予約した番組が蓄積されており、デジタルテレビ３００１を用いて番組を閲覧する。ハードディスクレコーダ３００２で蓄積された番組は、携帯型メディア３００４で取り出すことができ、携帯電話３００５や車載ディスプレイ３００６で閲覧することが可能である。携帯型メディア３００４にはハードディスクレコーダ３００２で録画された番組が蓄積されていると同時に、携帯電話３００５や車載ディスプレイ３００６で番組が閲覧された場合には、その閲覧履歴と閲覧された端末に関する情報を蓄積するように構成されている。携帯型メディア３００４に蓄積された閲覧履歴を用いて、次回の関連番組を蓄積するときには、その番組をどの解像度で蓄積すべきかを判断することができるように構成されている。
【０１７９】
本実施の形態は、実施の形態６と異なり、携帯型メディア３００４を利用して家庭内のテレビの端末だけでなく、携帯電話や、車載ディスプレイでの閲覧が可能な構成としている。そのため、実施の形態６の閲覧操作履歴の情報に加え、どの端末で閲覧（再生）したかの情報を携帯型メディア３００４に蓄積する。図５１は携帯型メディア３００４に蓄積されているデータを示す図である。携帯型メディア３００４には、図５１に示すように「閲覧端末」、「番組のタイトル」、および「閲覧開始時刻」についての情報と、「閲覧履歴」の格納先を示す携帯型メディア３００４内のアドレスが記載されている。さらに、そのアドレスには「閲覧履歴」として、実施の形態６と同様に閲覧履歴が記載されている。
【０１８０】
なお、閲覧端末に関しては、あらかじめＩＤ登録が行われており、閲覧端末ＩＤが蓄積されていてもよい。また、閲覧端末の画面の大きさ等の情報だけが記録されていてもよい。例えば、家庭内テレビであれば３２インチであり、携帯電話であれば３インチ等のサイズだけが記録されていてもよい。また、画面の大きさとして大中小だけの区分でもよいし、例えば６００×４８０等のように解像度が記録されていてもよい。すなわち、端末の性能や画面サイズを特定することができる情報であればよい。
【０１８１】
次に、上記のように構成された番組選択装置において閲覧集中度を算出する際の動作について説明する。図５２は番組選択装置において閲覧集中度を算出する際の動作の流れを示すフローチャートである。なお、番組の録画処理（ステップＳ１０１）から所定の番組数に到達したか否かの判定処理（ステップＳ１０３）までは、実施の形態６と同様の処理であるために、説明を省略する。
【０１８２】
所定の番組数に到達したか否かの判定処理（ステップＳ１０３）において閲覧した番組が所定の番組数に到達したと判定された場合（ステップＳ１０３でＹＥＳ）には、閲覧集中度算出部１１０６は、操作履歴記憶部１１１２に蓄積されている閲覧操作の履歴からユーザの番組に対する興味の度合いを示す閲覧集中度を算出する（ステップＳ３０１）。本実施の形態では、閲覧集中度算出部１１０６は、あらかじめ設定された例えば図５３に示すような閲覧端末と閲覧集中度との対応表を用いて、閲覧された端末に応じて番組に対する閲覧集中度を算出する。ここでは、例えば、家庭内のＤＶＤで閲覧された場合には、ユーザが番組に対して集中していた度合いが高いと判断し、閲覧集中度を５としている。逆に、車載ディスプレイで閲覧した場合には、運転中に閲覧したと推測されるため、番組に対しては、あまり集中していなかったと判断し、閲覧集中度を１としている。
【０１８３】
なお、例えば連続ドラマのような番組では、その番組の各回ごとに算出された閲覧集中度の平均を算出し、平均閲覧集中度として算出する。図５４は、各番組に対して算出された平均閲覧集中度の一例を示す図である。
【０１８４】
図５４に示す例では、「青春の影」というドラマの平均閲覧集中度が４．２となっている。これは、主に、家庭内のＤＶＤで閲覧していることによる結果である。これに比べ、「赤い疑惑」というドラマの場合には、携帯電話や車載ディスプレイで閲覧しているため平均閲覧集中度が１．５となっている。一般に、ニュース等のコンテンツに対しては、番組閲覧時に画質や解像度をこだわらないために、平均閲覧集中度が低くなる傾向にある。一方、映画等のコンテンツは、保存版として蓄積したいために、家庭内で閲覧することが多く、平均閲覧集中度が高くなる傾向がある。また、ドラマ等の場合には、気に入った俳優（女優）等が出演している場合には、平均閲覧集中度が高くなることが多く、ストーリーだけを確認したいドラマであれば、平均閲覧集中度が低くなることが多い。
【０１８５】
次に、上記のように番組に対する閲覧集中度が算出されている状態で、番組録画予約があった際の番組選択装置での動作について説明する。図５５は番組選択装置において番組録画予約があった際の動作の流れを示すフローチャートである。
【０１８６】
番組録画予約部１３０３は、録画予約が設定された番組について、閲覧集中度算出部１３０２によって閲覧集中度または平均閲覧集中度算出されているか否かを判定する（ステップＳ４０１）。この判定の結果、閲覧集中度または平均閲覧集中度が算出されている場合（ステップＳ４０１でＹＥＳ）には、番組録画予約部１３０３は、その平均閲覧集中度に応じて番組を蓄積する際の解像度を決定する（ステップＳ４０２）。ここでは、番組録画予約部１３０３は、例えば平均閲覧集中度が４以上の場合には最も高解像度（ＸＰ）とし、２以上４未満の場合には標準の解像度（ＳＰ）とし、２未満の場合には低い解像度（ＥＰ）と決定する。一方、上記判定の結果、閲覧集中度または平均閲覧集中度が算出されていない場合（ステップＳ４０１でＮＯ）には、あらかじめ設定されている解像度、または現在設定されている解像度に決定する（ステップＳ４０３）。
【０１８７】
以上のように、蓄積された番組をどのような解像度の端末で閲覧したかの履歴を利用して番組を録画するときの解像度を決定しているので、ユーザのニーズにあった解像度で番組を録画することが可能となる。また、ユーザが録画予約時に解像度を設定する場合であっても、どの解像度で蓄積すべきかの指針を与えることが可能になる。特に、システムが番組を選択して録画予約する場合には、平均閲覧集中度の値を用いて解像度を決定しているので、ユーザのニーズにあった解像度で番組を録画するのに有効である。
【０１８８】
また、家庭内の大画面で閲覧される場合には、閲覧に十分な画質で蓄積しておく必要があるが、携帯電話や車載ディスプレイで閲覧されるコンテンツに関しては、解像度は低くてもよいと判断することができる。これにより、モバイルで閲覧するコンテンツについては、解像度を下げることができ、携帯型メディアの限られた容量しかもたない場合でも効率的にコンテンツを蓄積することができる。また、ネットワークを介して閲覧する場合であっても、携帯電話や車載ディスプレイで閲覧するコンテンツに対しては、低い解像度で蓄積することにより、高速にコンテンツをダウンロードすることができるようになる。
【０１８９】
なお、本実施の形態では、各番組のタイトルに応じて、閲覧集中度を算出したが、これに限られるものではない。例えば、図５６に示すように「ニュース」、「ドラマ」、「映画」等の各番組のジャンル情報に対して閲覧集中度を算出し、この閲覧集中度に基づいて録画するときの解像度を決定してもよい。また、ＥＰＧの情報を利用して、各番組に出演している出演者ごとに閲覧集中度を算出し、出演者に応じて番組録画のときの解像度を決定してもよい。
【０１９０】
また、本実施の形態では、閲覧端末の情報を用いて番組を録画するときの解像度を決定したが、実施の形態６と同様に閲覧操作履歴を用いて番組の推薦を行う場合に利用してもよい。例えば、番組の推薦を行う際に、推薦を行う番組の閲覧集中度に応じて録画するときの解像度を決定し、図５７に示すように推薦を行う番組のタイトル、日時等とともに、決定した解像度を「モード」として表示させることができる。また、携帯電話等であっても同様に解像度を決定し、図５８に示すように推薦を行う番組のタイトルとともに、決定した解像度を表示させることができる。
【０１９１】
また、本実施の形態では、閲覧端末の情報を用いて番組の閲覧集中度を算出したが、各端末での閲覧操作履歴（実施の形態６で利用した番組通常再生率等）を利用して番組の解像度を決定してもよい。これにより、例えばストーリーだけを確認するため等に早送りで閲覧された番組（またはそのジャンル）に関しては、解像度を低くして蓄積することが可能になる。また、ハードディスク等である番組記憶部１１１１の容量を有効に活用するために、録画した後に圧縮して蓄積する番組（ジャンル）に対しては、あらかじめ解像度を低くして録画設定することが可能である。
【０１９２】
一方、特許文献３においては、録画された番組に対して早送り等の操作が行われた場合には、その番組に対してはユーザの興味がないと判断している。しかしながら、番組を早送り再生することは、番組の要点だけを把握するために行っている場合もある。特に、ハードディスクレコーダやＤＶＤに記録されたデジタルコンテンツ（番組）に対しては、早送り再生の速度を制御することができ、ユーザが聞き取ることができる音声で番組の画像を早送り再生することが可能となっている。そこで、本発明では、早送り再生される番組に対しても、ユーザの興味があると判断し、録画すべき番組として判断することも可能である。
【０１９３】
さらに、本実施の形態では、閲覧端末の情報を用いて番組の閲覧集中度を算出したが、閲覧端末の情報および各端末での閲覧操作履歴を利用して番組の解像度を決定してもよい。この場合、実施の形態６で算出した閲覧集中度に対して、図５３に示した閲覧端末と閲覧集中度との対応表を用いて算出した閲覧された端末に応じた閲覧集中度を乗算することにより閲覧集中度を算出すればよい。例えば、実施の形態６で算出した閲覧集中度が０．７である番組がＤＶＤ再生機で閲覧されていれば、０．７×５でこの番組に閲覧集中度を３．５と算出する。これにより、閲覧端末の情報だけでなく、ストーリーだけを確認するためにとばして閲覧した等の閲覧操作履歴にも応じて、解像度を決定することができるので、よりユーザのニーズにあった解像度で番組を蓄積することが可能になる。
【０１９４】
また、本実施の形態では、閲覧端末の情報を用いて番組の閲覧集中度を算出したが、以前に番組が録画された際の解像度を用いて閲覧集中度を算出し、録画を行う番組の解像度を決定してもよい。この場合、閲覧集中度算出部１１０６は、あらかじめ設定された例えば図５９に示すような以前に番組が録画された際の解像度（録画レート）と閲覧集中度との対応表を用いて、以前の解像度に応じて番組に対する閲覧集中度を算出すればよい。これにより、以前にユーザが設定した番組録画時の解像度に応じて、解像度を決定することができるので、よりユーザの嗜好を反映することが可能になる。
【０１９５】
また、本実施の形態では、閲覧集中度に基づいて録画を行う際の番組の解像度を決定しているが、これに限られるものではない。例えば、書き込み部１３０５が、録画番組を携帯型メディア３００４に複製または移動する際の解像度を閲覧集中度に基づいて決定してもよい。複製を作成するときに解像度が高い場合には、その番組は重要であると判断し、自動録画するときも解像度を高くして録画する。また、録画してから番組を複製・移動するまでの時間、番組が放送されてから複製・移動するまでの時間、閲覧してから複製・移動するまでの時間をも考慮して閲覧集中度を決定してもよい。
【０１９６】
また、本実施の形態では、番組を自動的に録画するときの解像度を決定する例について述べたが、蓄積されている番組と、その蓄積される媒体の容量に応じて解像度を決定することも可能である。従来、蓄積される媒体の容量が十分にない場合には、録画する番組の解像度を低くして（高い圧縮率で）蓄積を行っていることがある。しかしながら、本技術を利用することで、各番組に対して閲覧者の嗜好度合いを推定することができるため、すでに録画されている番組より、閲覧者が重要であると推定される番組を蓄積しなければならない場合には、すでに録画されている番組を圧縮し、録画する番組を高解像度で自動的に蓄積することも可能になる。
【０１９７】
（実施の形態８）
将来、多チャンネル放送がなされるようになり、ある番組が複数のチャンネルで放映されるようになってくる。さらには、同じ番組が同じチャンネルで異なる時間帯に放映されるようになってくる。このような状況においては、ユーザが録画予約した番組が、他のチャンネルや他の時間帯で放映されることがでてくる。
【０１９８】
しかしながら、同じ番組であっても、放映されるチャンネルや時間帯が異なると、ＣＭ等の情報が異なる。また、録画装置が設置されている場所（一般には家庭）において、番組が鮮明に受信できるチャンネルと鮮明に視聴できないチャンネルが存在することがある。一般にユーザは鮮明に視聴できるチャンネルの放送を多く視聴する傾向にある。
【０１９９】
そこで、本実施の形態では、ユーザが録画予約した番組について、他のチャンネルや他の時間帯で放映されるか否かをＥＰＧを用いて検索することで、ユーザが普段視聴しているチャンネルや時間帯の番組を優先して蓄積することにより、ユーザが普段視聴する番組を蓄積する装置を提供するものである。
【０２００】
図６０は、本発明の実施の形態８に係る番組蓄積装置の構成を示すブロック図である。
【０２０１】
番組蓄積装置４７００は、ユーザが普段視聴しているチャンネルや時間帯の番組を優先して蓄積する装置であり、図６０に示すように番組情報取得部４７０１、番組情報記憶部４７０２、録画予約設定部４７０３、同一番組選択部４７０４、視聴履歴取得部４７０５、録画予約修正部４７０６、および視聴履歴記憶部４７０７を備えている。
【０２０２】
番組情報取得部４７０１は、ネットワークや放送の多重波から番組情報を取得し、番組情報記憶部４７０２へ蓄積する。番組情報記憶部４７０２は、番組情報取得部４７０１により取得された番組情報を記憶する例えばハードディスク等の記憶部である。録画予約設定部４７０３は、リモコンや録画装置のインタフェース等を介して録画予約設定を受け付け、録画予約設定を行う。同一番組選択部４７０４は、録画予約設定部４７０３で設定された番組が録画予約設定されていないチャンネルや、録画予約設定されていない時間帯に放映されていないかを検索し選択する。視聴履歴取得部４７０５は、番組を閲覧する装置で番組が視聴された履歴を取得し、視聴履歴記憶部４７０７へ蓄積する。視聴履歴記憶部４７０７は、視聴履歴取得部４７０５により取得された視聴履歴を記憶する例えばハードディスク等の記憶部である。録画予約修正部４７０６は、同一番組選択部４７０４で選択された番組と視聴履歴記憶部４７０７に蓄積されている視聴履歴に基づいて録画予約の内容を修正する。
【０２０３】
本実施の形態に係る番組蓄積装置が用いられるハードウエアの構成は、番組情報を受信する機能をもった録画装置と同様であるため、説明を省略する。
【０２０４】
次に、上記のように構成された番組蓄積装置において番組の録画予約が行われた際の動作について説明する。図６１は番組蓄積装置において番組の録画予約が行われた際の動作の流れを示すフローチャートである。
【０２０５】
番組情報取得部４７０１は、放送波の多重化またはインターネットを介して番組情報を取得し、番組情報記憶部４７０２へ蓄積する（ステップＳ８０１）。
【０２０６】
録画予約設定部４７０３は、ユーザによって番組録画予約があったかどうかを判断する（ステップＳ８０２）。ここで、録画予約がなかった場合（ステップＳ８０２でＮＯ）には、番組情報の蓄積（ステップＳ８０１）を行う。
【０２０７】
一方、録画予約があった場合（ステップＳ８０２でＹＥＳ）には、録画予約設定部４７０３は、録画予約設定を行うとともに、同一番組選択部４７０４へ録画予約があった旨を通知する（ステップＳ８０３）。
【０２０８】
同一番組選択部４７０４は、番組情報取得部４７０１により取得された番組情報に対して、録画予約設定部４７０３により録画予約された番組が、他のチャンネルで放映されているか否かを検索する（ステップＳ８０４）。ここで、番組情報において、同一内容の番組か否かは、番組の放映時間、番組のタイトル等で判断することとする。図６２は録画予約された番組の一例であり、ここでは「青春時代」を２４チャンネルで録画予約している。
【０２０９】
この検索の結果、録画予約された番組が他のチャンネルで放映される場合（ステップＳ８０４でＹＥＳ）には、録画予約修正部４７０６は、視聴履歴記憶部４７０７に蓄積されている視聴履歴より、過去に閲覧していた各チャンネルの総視聴時間を計算する。そして、録画予約設定されたチャンネルより総視聴時間が多いチャンネルで録画予約設定された番組が放映されるときには、録画予約修正部４７０６は、例えば図６３（ｂ）に示すような画面に表示し、総視聴時間が多いチャンネルでの録画予約へ変更することを促す。ユーザが変更を指定すると、録画予約修正部４７０６は、録画予約設定されたチャンネルより総視聴時間が多いチャンネルでの録画予約へ番組録画予約の内容を変更する（ステップＳ８０５）。図６３（ａ）はチャンネルごとに計算された総視聴時間の一例を示す図である。この例では、ユーザは、図６２に示すように「青春時代」を２４チャンネルで録画予約していたが、図６３（ａ）に示すように２４チャンネルの総視聴時間は、１３．５時間である。２チャンネル以外の総視聴時間が、２４チャンネルより長いため、ユーザは主に２４チャンネル以外のチャンネルをよく閲覧していることになる。そこで、２チャンネルと２４チャンネル以外で、「青春時代」の番組が放映されるときには、図６３（ｂ）に示すような画面を表示し、変更することを促すことになる。また、録画予約された番組が２４チャンネル以外で放映されるが、そのチャンネルの総視聴時間が２４チャンネルに比べ少なかった場合には、録画予約修正部４７０６は予約内容を変更しないで、処理を終了する。
【０２１０】
一方、上記検索の結果、録画予約された番組が他のチャンネルで放映されない場合（ステップＳ８０４でＮＯ）には、録画予約修正部４７０６は、同じチャンネルの異なる時間帯に、同一番組が放映されるか否かを検索する（ステップＳ８０６）。この検索の結果、録画予約された番組が同じチャンネルの異なる時間帯に放映される場合（ステップＳ８０６でＹＥＳ）には、録画予約修正部４７０６は、視聴履歴記憶部４７０７に蓄積されている視聴履歴より、各時間帯での総視聴回数を計算する。そして、録画予約設定された時間帯より総視聴回数が多い時間帯で録画予約設定された番組が放映されるときには、録画予約修正部４７０６は、例えば図６４（ｂ）に示すような画面に表示し、総視聴回数が多い時間帯での録画予約へ変更することを促す。ユーザが変更を指定すると、録画予約修正部４７０６は、録画予約設定された時間帯より総視聴回数が多い時間帯での録画予約へ番組録画予約の内容を変更する（ステップＳ８０７）。図６４（ａ）は１時間単位に計算された視聴回数の一例を示す図である。この例では、ユーザは、図６２に示すように「青春時代」を８：００〜９：００の時間帯で録画予約していたが、図６４（ａ）に示すように８：００〜９：００の時間帯の総視聴回数は、２回である。他の時間帯の総視聴回数が８：００〜９：００の時間帯の総視聴回数より多いので、８：００〜９：００の時間帯以外で「青春時代」の番組が放映されるときには、図６４（ｂ）に示すような画面を表示し、変更することを促すことになる。また、録画予約された番組が異なる時間帯で放映されるが、その時間帯の総視聴回数が８：００〜９：００の時間帯に比べ少なかった場合には、録画予約修正部４７０６は予約内容を変更しないで、処理を終了する。
【０２１１】
一方、上記検索（ステップＳ８０６）の結果、録画予約された番組が同じチャンネルの異なる時間帯に放映されない場合（ステップＳ８０６でＮＯ）には、処理を終了する。
【０２１２】
図６３（ａ）、図６４（ａ）に示すチャンネルごとの総視聴時間および各時間帯での総視聴回数は、日常的な視聴履歴であるため、この例ではユーザは８チャンネルを好んで視聴しており、２０：００〜２１：００の時間帯に好みのＣＭ等が放映されている可能性が高い。同じ番組が放映される場合には、これらのチャンネルや時間帯を選択することで、ユーザにとって親しみのあるＣＭが放映されている可能性が高い。
【０２１３】
以上のように、ユーザが録画予約をした場合に、他のチャンネルや他の時間帯に、同一番組を放映している場合には、ユーザのこれまでの視聴履歴を利用して、普段、閲覧している時間帯の番組、普段閲覧しているチャンネルの番組を優先的に録画予約することが可能になる。
【０２１４】
なお、本実施の形態では、ユーザの視聴履歴を用いて予約番組の録画変更を行ったが、ユーザが予約した時間より、早い時間に放映されるときには、早い時間帯に変更することを促してもよい、これにより、ユーザは早いタイミングで録画することができ、録画した番組を早く閲覧することができるようになる。
【０２１５】
以上のように、本発明に係る番組蓄積装置は、コンテンツを録画する番組蓄積装置であって、前記コンテンツに関するコンテンツ情報を取得する番組情報取得手段と、前記コンテンツの録画予約設定を行う録画予約設定手段と、前記コンテンツが視聴された履歴を取得する視聴履歴取得手段と、前記コンテンツ情報を用いて、前記録画予約設定手段で録画予約設定された第１のコンテンツが、前記録画予約設定のチャンネルまたは時間帯と異なるチャンネルまたは時間帯で放映されるかを検索し、異なるチャンネルまたは時間帯で放映される第２のコンテンツを選択する同一番組選択手段と、前記第２のコンテンツおよび前記視聴履歴取得手段で取得された視聴履歴に基づいて、前記録画予約設定手段で録画予約設定された内容を修正する録画予約修正手段とを備えることを特徴とする。
【０２１６】
また、前記録画予約修正手段は、前記第１のコンテンツと前記第２のコンテンツとでチャンネルが異なる場合、視聴履歴に基づいてチャンネル単位の視聴時間を算出し、前記第１のコンテンツのチャンネルの視聴時間より前記第２のコンテンツのチャンネルの視聴時間が多い場合に、前記第１のコンテンツの録画予約設定を前記第２のコンテンツに修正してもよい。
【０２１７】
また、前記録画予約修正手段は、前記第１のコンテンツと前記第２のコンテンツとで時間帯が異なる場合、視聴履歴に基づいて所定の時間単位の視聴回数を算出し、前記第１のコンテンツの時間帯の視聴回数より前記第２のコンテンツの時間帯の視聴回数が多い場合に、前記第１のコンテンツの録画予約設定を前記第２のコンテンツに修正してもよい。
【０２１８】
これによって、ユーザが録画予約をした場合に、他のチャンネルや他の時間帯に、同一コンテンツを放映している場合には、ユーザのこれまでの視聴履歴を利用して、普段、閲覧している時間帯の番組、普段閲覧しているチャンネルのコンテンツに録画予約を修正することが可能になる。
【産業上の利用可能性】
【０２１９】
以上のように本発明に係るコンテンツ情報表示装置は、ユーザの利便を向上する態様でコンテンツ情報を表示することができ、例えばハードディスクレコーダ、ＤＶＤレコーダ、携帯電話、車載ディスプレイ等の装置でコンテンツ情報を表示するのに有用である。
【符号の説明】
【０２２０】
１１００、１３００  番組選択装置
１１０１  放送受信部
１１０２  番組録画部
１１０３  録画番組閲覧部
１１０４  閲覧操作受付部
１１０５、１３０１  閲覧操作履歴蓄積部
１１０６、１３０２  閲覧集中度算出部
１１０７  嗜好抽出部
１１０８  番組情報取得部
１１０９  番組選択部
１１１０、１３０３  番組録画予約部
１１１１  番組記憶部
１１１２  操作履歴記憶部
１２０１  デジタルテレビ
１２０２  ハードディスクレコーダ
１２０３  ホームゲートウエイ
１２０４  携帯電話
１２０５  閲覧用リモコン
１３００  番組選択装置
１３０１  閲覧操作履歴蓄積部
１３０２  閲覧集中度算出部
１３０３  番組録画予約部
１３０４  閲覧端末情報検出部
１３０５  書き込み部
３００１  デジタルテレビ
３００２  ハードディスクレコーダ
３００３  ホームゲートウエイ
３００４  携帯型メディア
３００５  携帯電話
３００６  車載ディスプレイ
３７００、４７００  番組蓄積装置
３７０１、４７０１  番組情報取得部
３７０２、４７０２  番組情報記憶部
３７０３  番組情報差分検出部
３７０４  放送受信部
３７０５  番組録画部
３７０６  番組情報選択部
３７０７  番組情報表示部
３７０８  番組記憶部
３７０９  指示受付部
３７１０  表示情報量受付部
４７０３  録画予約設定部
４７０４  同一番組選択部
４７０５  視聴履歴取得部
４７０６  録画予約修正部
４７０７  視聴履歴記憶部
５１０１、５８０１、６２０１、６７０１  放送受信部
５１０２、５８０２、６２０２、６７０２  番組録画部
５１０３、５８０３、６２０３、６７０３  番組記憶部
５１０４、５８０４、６２０４、６７０４、６７０５  番組情報取得部
５１０５、５８０５、６２０５、６７０６  番組情報差分検出部
５１０６、５８０６、６２０６、６７０７  番組情報記憶部
５１０７  表示端末性能記憶部
５１０８  番組情報表示要求入力部
５１０９  番組情報表示要求受信部
５１１０  番組情報選択部
５８０７  複数番組情報表示要求入力部
５８０８  複数番組情報表示要求受信部
５８０９  複数番組情報選択部
５８１０  複数番組情報表示部
６２０７  録画番組閲覧操作受付部
６２０８  録画番組表示制御部
６２０９  録画番組閲覧履歴記憶部
６２１０  番組情報選択部
６２１１  番組情報表示部
６７０８  番組情報融合部
６７０９  番組情報表示要求受信部
６７１０  番組情報選択部
６７１１  番組情報表示部
【図１】
2010233269.tif 000003
【図２】
2010233269.tif 000004
【図３】
2010233269.tif 000005
【図４】
2010233269.tif 000006
【図５】
2010233269.tif 000007
【図６】
2010233269.tif 000008
【図７】
2010233269.tif 000009
【図８】
2010233269.tif 000010
【図９】
2010233269.tif 000011
【図１０】
2010233269.tif 000012
【図１１】
2010233269.tif 000013
【図１２】
2010233269.tif 000014
【図１３】
2010233269.tif 000015
【図１４】
2010233269.tif 000016
【図１５】
2010233269.tif 000017
【図１６】
2010233269.tif 000018
【図１７】
2010233269.tif 000019
【図１８】
2010233269.tif 000020
【図１９】
2010233269.tif 000021
【図２０】
2010233269.tif 000022
【図２１】
2010233269.tif 000023
【図２２】
2010233269.tif 000024
【図２３】
2010233269.tif 000025
【図２４】
2010233269.tif 000026
【図２５】
2010233269.tif 000027
【図２６】
2010233269.tif 000028
【図２７】
2010233269.tif 000029
【図２８】
2010233269.tif 000030
【図２９】
2010233269.tif 000031
【図３０】
2010233269.tif 000032
【図３１】
2010233269.tif 000033
【図３２】
2010233269.tif 000034
【図３３】
2010233269.tif 000035
【図３４】
2010233269.tif 000036
【図３５】
2010233269.tif 000037
【図３６】
2010233269.tif 000038
【図３７】
2010233269.tif 000039
【図３８】
2010233269.tif 000040
【図３９】
2010233269.tif 000041
【図４０】
2010233269.tif 000042
【図４１】
2010233269.tif 000043
【図４２】
2010233269.tif 000044
【図４３】
2010233269.tif 000045
【図４４】
2010233269.tif 000046
【図４５】
2010233269.tif 000047
【図４６】
2010233269.tif 000048
【図４７】
2010233269.tif 000049
【図４８】
2010233269.tif 000050
【図４９】
2010233269.tif 000051
【図５０】
2010233269.tif 000052
【図５１】
2010233269.tif 000053
【図５２】
2010233269.tif 000054
【図５３】
2010233269.tif 000055
【図５４】
2010233269.tif 000056
【図５５】
2010233269.tif 000057
【図５６】
2010233269.tif 000058
【図５７】
2010233269.tif 000059
【図５８】
2010233269.tif 000060
【図５９】
2010233269.tif 000061
【図６０】
2010233269.tif 000062
【図６１】
2010233269.tif 000063
【図６２】
2010233269.tif 000064
【図６３】
2010233269.tif 000065
【図６４】
2010233269.tif 000066